(57)【要約】【課題】用紙などのシートに濃淡むらなどの不良を生じていない現像剤像（画像）を形成することができる、画像形成装置を提供する。【解決手段】感光ドラム５の表面に形成されるトナー像は、転写ローラ１２に転写電流が供給されることにより、感光ドラム５と転写ローラ１２との間を通過する用紙Ｐに転写される。感光ドラム５の表面には、クリーニングローラ８が対向して配置されている。クリーニングローラ８には、クリーニングバイアス回路２４により、第１回収電圧または第２回収電圧が印加される。第２回収電圧は、感光ドラム５の表面の帯電極性と逆極性で第１回収電圧よりも大きい。【選択図】図４
2010256836.tif 000002
【特許請求の範囲】
【請求項１】
表面が所定方向に移動可能に設けられた感光体と、
前記感光体の表面に現像剤像を形成するための所定の作用を与える作用手段と、
前記感光体の表面に対向して配置され、転写電流の供給により、前記感光体の表面に形成された現像剤像を前記感光体との間を通過するシートに転写する転写手段と、
前記感光体の表面における前記シートの先端部分と接触した接触部分を含む調整対象部分に前記作用手段が前記所定の作用を与える期間と、前記感光体の表面における前記調整対象部分以外の非対象部分に前記作用手段が前記所定の作用を与える期間とで、当該作用の大きさが異なるように、前記作用手段を制御する制御手段とを備える、画像形成装置。
【請求項２】
前記作用手段は、
前記感光体の表面に対向して配置され、前記感光体から前記シートへの現像剤像の転写後に、前記感光体の表面に残留している現像剤を回収する回収手段と、
前記回収手段に電圧を印加する回収電圧印加手段とを含み、
前記制御手段は、前記非対象部分が前記回収手段に対向しているときに、前記感光体の表面の帯電極性と逆極性の第１回収電圧が前記回収手段に印加され、前記調整対象部分が前記回収手段に対向しているときには、前記第１回収電圧と同極性で前記第１回収電圧よりも大きい第２回収電圧が印加されるように、前記回収電圧印加手段を制御する、請求項１に記載の画像形成装置。
【請求項３】
湿度を検知するための湿度検知手段をさらに備え、
前記制御手段は、前記湿度検知手段により検知される湿度に基づいて、前記第２回収電圧の値を設定する、請求項２に記載の画像形成装置。
【請求項４】
前記制御手段は、前記湿度検知手段により検知される湿度が予め定める閾値以上のときには、前記第２回収電圧の値を相対的に大きい値に設定し、前記湿度検知手段により検知される湿度が前記閾値未満のときには、前記第２回収電圧の値を相対的に小さい値に設定する、請求項３に記載の画像形成装置。
【請求項５】
前記制御手段は、前記感光体の表面に前記シートの先端縁が接触してから前記第２回収電圧が印加されるまでの期間、前記回収手段に電圧が印加されないように、前記回収電圧印加手段を制御する、請求項２〜４のいずれか一項に記載の画像形成装置。
【請求項６】
前記感光体は、前記シートの搬送方向に沿って並列に複数配置され、
前記転写手段および前記回収手段は、各感光体に対応して設けられ、
前記制御手段は、前記転写手段に供給される転写電流の値に応じて、当該転写手段とともに前記感光体に対応して設けられている前記回収手段に印加される前記第２回収電圧の値を設定する、請求項２〜５のいずれか一項に記載の画像形成装置。
【請求項７】
前記制御手段は、前記シートの搬送方向の最上流側に配置される前記感光体に対応して設けられている前記回収手段に印加される前記第２回収電圧の値を最も小さい値に設定し、前記シートの搬送方向の最下流側に配置される前記感光体に対応して設けられている前記回収手段に印加される前記第２回収電圧の値を最も大きい値に設定する、請求項６に記載の画像形成装置。
【請求項８】
前記回収手段は、その周面が前記感光体に接触して配置される回収ローラである、請求項２〜７のいずれか一項に記載の画像形成装置。
【請求項９】
前記作用手段は、
前記感光体の表面に対向して配置され、現像剤像の形成前に前記感光体の表面を帯電させる帯電手段と、
前記帯電手段に電圧を印加する帯電電圧印加手段とを含み、
前記制御手段は、前記非対象部分が前記帯電手段に対向しているときに、第１帯電電圧が前記帯電手段に印加され、前記調整対象部分が前記帯電手段に対向しているときには、前記第１帯電電圧と同極性で前記第１帯電電圧よりも小さい第２帯電電圧が印加されるように、前記帯電電圧印加手段を制御する、請求項１〜８のいずれか一項に記載の画像形成装置。
【請求項１０】
前記帯電手段は、放電電極およびグリッドを備えるスコロトロン帯電器であり、
前記帯電電圧印加手段は、前記グリッドに電圧を印加する、請求項９に記載の画像形成装置。
【請求項１１】
湿度を検知するための湿度検知手段をさらに備え、
前記制御手段は、前記湿度検知手段により検知される湿度に基づいて、前記第２帯電電圧の値および／または前記グリッドに前記第２帯電電圧を印加する時間を設定する、請求項１０に記載の画像形成装置。
【請求項１２】
前記作用手段は、前記感光体の表面を露光し、前記感光体の表面に現像剤像に対応する静電潜像を形成する露光手段を含み、
前記制御手段は、前記非対象部分が第１露光量で露光され、前記調整対象部分が前記第１露光量よりも大きい第２露光量で露光されるように、前記露光手段を制御する、請求項１〜１１のいずれか一項に記載の画像形成装置。
【請求項１３】
前記作用手段は、
前記感光体の表面に対向して配置され、前記感光体の表面に現像剤を供給し、前記感光体の表面の静電潜像を現像する現像手段と、
前記現像手段に電圧を印加する現像電圧印加手段とを含み、
前記制御手段は、前記非対象部分が前記現像手段と対向しているときに、第１現像電圧が前記現像手段に印加され、前記調整対象部分が前記現像手段と対向しているときに、前記第１現像電圧よりも大きい第２現像電圧が前記現像手段に印加されるように、前記現像電圧印加手段を制御する、請求項１〜１２のいずれか一項に記載の画像形成装置。
【請求項１４】
前記転写手段は、前記感光体の表面との間に前記所定方向の幅が所定幅であるニップ部を形成する転写ローラであり、
前記調整対象部分は、前記シートの先端縁を含む前記所定幅の部分である、請求項１〜１３のいずれか一項に記載の画像形成装置。
【発明の詳細な説明】
【技術分野】
【０００１】
本発明は、レーザプリンタなどの画像形成装置に関する。
【背景技術】
【０００２】
電子写真方式を採用したレーザプリンタでは、感光ドラムの周囲に、帯電器、現像器および転写ローラなどが配置されている。
画像形成動作時には、感光ドラムが回転される。この回転に伴って、感光ドラムの表面が帯電器からの放電により正極性に帯電されていく。そして、その帯電した部分にレーザビームが選択的に照射され、その照射された部分の電荷が抜けることにより、感光ドラムの表面に静電潜像が形成される。
【０００３】
感光ドラムの回転に伴って、静電潜像が現像器に対向すると、現像バイアスが印加された現像器と静電潜像との間の電位差により、現像器から静電潜像にトナーが供給される。これにより、静電潜像がトナー像に現像されて、感光ドラムの表面にトナー像が担持される。
転写ローラは、感光ドラムの所定幅で接触（ニップ）するように設けられている。感光ドラムの回転に伴って、トナー像が転写ローラに対向する位置まで移動すると、そのタイミングに合わせて、感光ドラムと転写ローラとの接触部分に向けて用紙が送られる。そして、転写ローラに負の転写電流が供給されることにより、感光ドラムと転写ローラとの間を通過する用紙に感光ドラムの表面からトナー像が転写され、用紙への画像の形成が達成される（たとえば、特許文献１参照）。
【先行技術文献】
【特許文献】
【０００４】
【特許文献１】特開２００８−１３９７０３号公報
【発明の概要】
【発明が解決しようとする課題】
【０００５】
用紙の先端部分が感光ドラムと転写ローラとの接触部分に突入したときに、転写ローラから用紙に転写電流が流れる場合がある。
感光ドラムの表面において、帯電器によって正極性に帯電された部分が転写ローラと対向すると、負の転写電流が供給されている転写ローラの影響を受けて、感光ドラムの表面の電位が低下する。しかしながら、転写電流が用紙に流れると、転写電流が用紙に流れている期間、転写ローラにより感光ドラムの表面が受ける影響が小さくなり、感光ドラムの表面の用紙と接触している部分の電位の低下の度合いが小さくなる。その結果、感光ドラムの表面に、局所的に高電位を維持する部分が生じてしまう。
【０００６】
感光ドラムの表面に高電位を維持した部分があると、その部分は、帯電器からの放電を受けた後も高電位を維持する。そのため、その高電位を維持した部分がレーザビームによって露光されても、電位を十分に低下させることができず、その部分に正帯電のトナーが付着しにくくなる。その結果、当該部分に形成されるトナー像が他の部分に形成されるトナー像よりも薄くなり、用紙に形成される画像に濃淡むらを生じるおそれがある。また、場合によっては、感光ドラムの表面の高電位を維持した部分に現像剤がほとんど供給されず、いわゆる画像の白抜けを発生するおそれがある。
【０００７】
そこで、本発明の目的は、用紙などのシートに濃淡むらなどの不良を生じていない現像剤像（画像）を形成することができる、画像形成装置を提供することにある。
【課題を解決するための手段】
【０００８】
前記の目的を達成するため、請求項１記載の発明は、画像形成装置において、表面が所定方向に移動可能に設けられた感光体と、前記感光体の表面に現像剤像を形成するための所定の作用を与える作用手段と、前記感光体の表面に対向して配置され、転写電流の供給により、前記感光体の表面に形成された現像剤像を前記感光体との間を通過するシートに転写する転写手段と、前記感光体の表面における前記シートの先端部分と接触した接触部分を含む調整対象部分に前記作用手段が前記所定の作用を与える期間と、前記感光体の表面における前記調整対象部分以外の非対象部分に前記作用手段が前記所定の作用を与える期間とで、当該作用の大きさが異なるように、前記作用手段を制御する制御手段とを備えることを特徴としている。
【０００９】
前記所定の作用には、現像剤像の形成に直接的に関係する作用のみならず、現像剤像の形成に間接的に関係する作用も含まれる。
請求項２に記載の発明は、請求項１に記載の発明において、前記作用手段は、前記感光体の表面に対向して配置され、前記感光体から前記シートへの現像剤像の転写後に、前記感光体の表面に残留している現像剤を回収する回収手段と、前記回収手段に電圧を印加する回収電圧印加手段とを含み、前記制御手段は、前記非対象部分が前記回収手段に対向しているときに、前記感光体の表面の帯電極性と逆極性の第１回収電圧が前記回収手段に印加され、前記調整対象部分が前記回収手段に対向しているときには、前記第１回収電圧と同極性で前記第１回収電圧よりも大きい第２回収電圧が印加されるように、前記回収電圧印加手段を制御することを特徴としている。
【００１０】
請求項３に記載の発明は、請求項２に記載の発明において、湿度を検知するための湿度検知手段をさらに備え、前記制御手段は、前記湿度検知手段により検知される湿度に基づいて、前記第２回収電圧の値を設定することを特徴としている。
請求項４に記載の発明は、請求項３に記載の発明において、前記制御手段は、前記湿度検知手段により検知される湿度が予め定める閾値以上のときには、前記第２回収電圧の値を相対的に大きい値に設定し、前記湿度検知手段により検知される湿度が前記閾値未満のときには、前記第２回収電圧の値を相対的に小さい値に設定することを特徴としている。
【００１１】
請求項５に記載の発明は、請求項２〜４のいずれか一項に記載の発明において、前記制御手段は、前記感光体の表面に前記シートの先端縁が接触してから前記第２回収電圧が印加されるまでの期間、前記回収手段に電圧が印加されないように、前記回収電圧印加手段を制御することを特徴としている。
請求項６に記載の発明は、請求項２〜５のいずれか一項に記載の発明において、前記感光体は、前記シートの搬送方向に沿って並列に複数配置され、前記転写手段および前記回収手段は、各感光体に対応して設けられ、前記制御手段は、前記転写手段に供給される転写電流の値に応じて、当該転写手段とともに前記感光体に対応して設けられている前記回収手段に印加される前記第２回収電圧の値を設定することを特徴としている。
【００１２】
請求項７に記載の発明は、請求項６に記載の発明において、前記制御手段は、前記シートの搬送方向の最上流側に配置される前記感光体に対応して設けられている前記回収手段に印加される前記第２回収電圧の値を最も小さい値に設定し、前記シートの搬送方向の最下流側に配置される前記感光体に対応して設けられている前記回収手段に印加される前記第２回収電圧の値を最も大きい値に設定することを特徴としている。
【００１３】
請求項８に記載の発明は、請求項２〜７のいずれか一項に記載の発明において、前記回収手段は、その周面が前記感光体に接触して配置される回収ローラであることを特徴としている。
請求項９に記載の発明は、請求項１〜８のいずれか一項に記載の発明において、前記作用手段は、前記感光体の表面に対向して配置され、現像剤像の形成前に前記感光体の表面を帯電させる帯電手段と、前記帯電手段に電圧を印加する帯電電圧印加手段とを含み、前記制御手段は、前記非対象部分が前記帯電手段に対向しているときに、第１帯電電圧が前記帯電手段に印加され、前記調整対象部分が前記帯電手段に対向しているときには、前記第１帯電電圧と同極性で前記第１帯電電圧よりも小さい第２帯電電圧が印加されるように、前記帯電電圧印加手段を制御することを特徴としている。
【００１４】
請求項１０に記載の発明は、請求項９に記載の発明において、前記帯電手段は、放電電極およびグリッドを備えるスコロトロン帯電器であり、前記帯電電圧印加手段は、前記グリッドに電圧を印加することを特徴としている。なお、放電電極は、ワイヤ状のものであってもよいし、のこぎり歯状のものであってもよい。
請求項１１に記載の発明は、請求項１０に記載の発明において、湿度を検知するための湿度検知手段をさらに備え、前記制御手段は、前記湿度検知手段により検知される湿度に基づいて、前記第２帯電電圧の値および／または前記グリッドに前記第２帯電電圧を印加する時間を設定することを特徴としている。
【００１５】
請求項１２に記載の発明は、請求項１〜１１のいずれか一項に記載の発明において、前記作用手段は、前記感光体の表面を露光し、前記感光体の表面に現像剤像に対応する静電潜像を形成する露光手段を含み、前記制御手段は、前記非対象部分が第１露光量で露光され、前記調整対象部分が前記第１露光量よりも大きい第２露光量で露光されるように、前記露光手段を制御することを特徴としている。
【００１６】
請求項１３に記載の発明は、請求項１〜１２のいずれか一項に記載の発明において、前記作用手段は、前記感光体の表面に対向して配置され、前記感光体の表面に現像剤を供給し、前記感光体の表面の静電潜像を現像する現像手段と、前記現像手段に電圧を印加する現像電圧印加手段とを含み、前記制御手段は、前記非対象部分が前記現像手段と対向しているときに、第１現像電圧が前記現像手段に印加され、前記調整対象部分が前記現像手段と対向しているときに、前記第１現像電圧よりも大きい第２現像電圧が前記現像手段に印加されるように、前記現像電圧印加手段を制御することを特徴としている。
【００１７】
請求項１４に記載の発明は、請求項１〜１３のいずれか一項に記載の発明において、前記転写手段は、前記感光体の表面との間に前記所定方向の幅が所定幅であるニップ部を形成する転写ローラであり、前記調整対象部分は、前記シートの先端縁を含む前記所定幅の部分であることを特徴としている。
【発明の効果】
【００１８】
請求項１に記載の発明によれば、感光体の表面に形成される現像剤像は、転写手段に転写電流が供給されることにより、感光体と転写手段との間を通過するシートに転写される。感光体の表面には、作用手段により、現像剤像を形成するための所定の作用が与えられる。そして、感光体の表面におけるシートの先端部分と接触した接触部分を含む調整対象部分に与えられる作用の大きさと、感光体の表面における調整対象部分以外の非対象部分に与えられる作用の大きさとが異なるように、制御手段により、作用手段が制御される。
【００１９】
シートの先端部分が感光体の表面に接触したときに、転写手段からシートに転写電流が流れると、感光体の表面の接触部分の電位と接触部分以外の部分の電位との間に、それに起因する偏差が生じる。シートへの現像剤像の形成に対する電位偏差による影響が打ち消されるように、接触部分を含む調整対象部分に与えられる作用の大きさが設定されることにより、接触部分からシートに転写される現像剤像と接触部分以外の部分からシートに転写される現像剤像との間に、所望しない濃度の偏差（むら）が生じるのを防止することができる。よって、シートに濃淡むらなどの不良を生じていない現像剤像（画像）を形成することができる。
【００２０】
請求項２に記載の発明によれば、作用手段は、回収手段を含む。回収手段は、感光体の表面に対向して配置されている。回収手段には、回収電圧印加手段により、第１回収電圧または第２回収電圧が印加される。感光体からシートへの現像剤像の転写後に感光体の表面に残留する現像剤は、回収手段と感光体の表面との間の電位差により、回収手段と対向したときに、回収手段に回収される。
【００２１】
感光体の表面から残留現像剤が回収手段に回収されることにより、感光体の表面に形成される現像剤像に残留現像剤が及ぼす影響（濃度むら）をなくすことができる。したがって、回収手段により残留現像剤を回収するクリーニング作用は、感光体の表面への現像剤の形成に間接的に関係し、その現像剤を形成するための作用に含まれる。
感光体の表面における調整対象部分が回収手段に対向しているときには、回収手段に感光体の表面の帯電極性と逆極性で第１回収電圧よりも大きい第２回収電圧が印加される。これにより、現像剤像の転写後に接触部分付近に電荷が多く残留していても、その残留電荷を除去することができる。その結果、接触部分と接触部分以外の部分との間の電位の偏差を小さくすることができ、感光体の表面の電位のばらつきを低減することができる。よって、感光体の表面に良好な濃度の現像剤像を形成することができる。
【００２２】
請求項３に記載の発明によれば、画像形成装置は、湿度を検知するための湿度検出手段を備えている。第２回収電圧の値は、湿度検知手段により検知される湿度に基づいて設定される。
感光体からシートへの現像剤像の良好な転写を確保するために、転写手段に供給される転写電流の値が湿度の変化に応じて変更される場合がある。転写電流が変更されると、これに伴って、接触部分近傍に残留する電荷の量が変化する。第２回収電圧の値が湿度検知手段により検知される湿度に基づいて設定されるので、転写電流の値および湿度の変化に応じて調整対象部分の残留電荷を良好に除去することができる。その結果、湿度にかかわらず、感光体の表面の電位のばらつきを低減することができ、シートに良好な濃度の現像剤像を形成することができる。
【００２３】
請求項４に記載の発明によれば、湿度検知手段により検知される湿度が予め定める閾値以上のときには、第２回収電圧の値が相対的に大きい値に設定される。また、湿度検知手段により検知される湿度が予め定める閾値未満のときには、第２回収電圧の値が相対的に小さい値に設定される。すなわち、湿度が閾値以上であるか閾値未満であるかによって、第２回収電圧が湿度に応じた値に変更される。そのため、湿度の変化が著しい場合に、第２回収電圧の値が頻繁に変更されるのを抑制することができる。その結果、制御手段にかかる負荷を軽減することができる。
【００２４】
請求項５に記載の発明によれば、シートの先端縁が感光体の表面に接触してから第２回収電圧が印加されるまでの期間は、回収部材に電圧が印加されない。これにより、当該期間における消費電力を低減することができる。そのため、画像形成装置の省エネルギー化を図ることができる。
請求項６に記載の発明によれば、感光体は、シートの搬送方向に沿って並列に複数配置されている。転写手段および回収手段は、各感光体に対応して設けられている。また、各転写手段に供給される転写電流の値に応じて、当該転写手段とともに感光体に対応して設けられる回収手段に印加される第２回収電圧の値が設定される。これにより、各感光体の表面の接触部分近傍の電位が転写電流の相違により異なっていても、各接触部分の残留電荷を良好に除去することができる。その結果、各感光体の表面電位のばらつきを低減することができる。
【００２５】
請求項７に記載の発明によれば、各回収手段に印加される第２回収電圧のうち、シートの搬送方向の最上流側の感光体に対応して設けられている回収手段に印加される第２回収電圧が最も小さい値に設定される。また、シートの搬送方向の最下流側の感光体に対応して設けられている回収手段に印加される第２回収電圧が最も大きい値に設定される。
複数の感光体が並列に配置される画像形成装置では、感光体の表面に接触しながら搬送されるシートの搬送が進むにつれて、シート上の現像剤の帯電量が増加（チャージアップ）するため、シートの表面の電位が上昇する。シートの表面の電位が上昇するにつれて、感光体とシートとの間の電位差が小さくなるので、感光体からシートへのトナーの転移効率が下がる。そこで、各感光体からシートへの現像剤の良好な転写を確保するために、最上流側の感光体に対応して設けられている転写手段に供給される転写電流が最も小さい値に設定され、最下流側の感光体に対応して設けられている転写手段に供給される転写電流が最も大きい値に設定される場合がある。
【００２６】
この場合に、シートの先端部分が感光体の表面に接触したときに、転写手段からシートに転写電流が流れると、各感光体の表面の接触部分近傍に残留する電荷の量は、シートとの間の電位差が最も小さい最下流側の感光体で最も多くなり、シートとの間の電位差が最も大きい最上流側の感光体で最も少なくなる。これに応じて、最上流側の感光体に対応する回収部材への第２回収電圧が最も小さい値に設定され、最下流側に配置される感光体に対応する回収部材への第２回収電圧が最も大きい値に設定されるので、各感光体の接触部分の残留電荷を良好に除去することができる。その結果、各感光体の表面の電位のばらつきを良好に低減することができる。
【００２７】
請求項８に記載の発明によれば、回収手段は、その周面が感光体に接触して配置される回収ローラである。回収ローラの周面と感光体の表面とが接触しているので、回収ローラによる残留トナーの回収および感光体の表面の接触部分からの残留電荷の除去を安定して行うことができる。
請求項９に記載の発明によれば、作用手段は、感光体の表面に帯電という作用を与える帯電手段を含む。帯電手段は、感光体の表面に対向して配置されている。帯電手段には、帯電電圧印加手段により、第１帯電電圧または第２帯電電圧が印加される。帯電手段に電圧が印加されると、帯電手段から感光体の表面に電荷が供給され、感光体の表面が帯電する。
【００２８】
感光体の表面における調整対象部分以外の非対象部分が帯電手段に対向しているときには、帯電手段に第１帯電電圧が印加され、接触部分を含む調整対象部分が帯電手段に対向しているときには、帯電手段に第１帯電電圧よりも小さい第２帯電電圧が印加される。そのため、帯電手段から調整対象部分に供給される電荷の量は、帯電手段から非対象部分に供給される電荷の量よりも少ない。接触部分には電荷が残留しているので、調整対象部分に供給される電荷の量が少なくされることにより、接触部分の帯電量と接触部分以外の帯電量の偏差を小さくすることができる。その結果、感光体の表面の電位のばらつきを低減することができる。よって、感光体の表面に良好な濃度の現像剤像を形成することができる。
【００２９】
請求項１０に記載の発明によれば、帯電手段は、放電電極およびグリッドを備えるスコロトロン帯電器である。そのため、グリッドに印加される電圧により、感光体の表面に供給される電荷の量を調節することができる。すなわち、調整対象部分が回収手段に対向しているときに、グリッドに第１回収電圧よりも小さい第２回収電圧が印加されることにより、調整対象部分に供給される電荷の量を非対象部分に供給される電荷の量よりも少なくすることができる。
【００３０】
請求項１１に記載の発明によれば、画像形成装置は、湿度を検知するための湿度検出手段を備えている。第２帯電電圧の値および／またはグリッドに第２帯電電圧が印加される時間は、湿度検知手段により検知される湿度に基づいて設定される。
感光体の表面の単位面積（たとえば、１画素）あたりの帯電手段による帯電量は、帯電手段からその単位面積部分に供給される電荷の量の時間積分値である。したがって、第２帯電電圧の値および第２帯電電圧がグリッドに印加される時間の少なくとも一方を変更することにより、調整対象部分の帯電量を変更することができる。
【００３１】
感光体からシートへの現像剤像の良好な転写を確保するために、転写手段に供給される転写電流の値が湿度の変化に応じて変更される場合がある。転写電流が変更されると、これに伴って、接触部分に残留する電荷の量が変化する。また、温度が変化すると接触部分の残留する電荷量が変化する。第２帯電電圧の値および第２帯電電圧がグリッドに印加される時間が湿度検知手段により検知される湿度に基づいて設定されるので、転写電流の値および湿度の変化に応じて、接触部分近傍の帯電量と接触部分以外の帯電量の偏差を小さくすることができる。その結果、湿度にかかわらず、感光体の表面の電位のばらつきを低減することができ、シートに良好な濃度の現像剤像を形成することができる。
【００３２】
請求項１２に記載の発明によれば、作用手段は、感光体の表面に露光という作用を与える露光手段を含む。感光体の表面が露光手段により露光されると、その露光された部分から電荷が除去される。
非対象部分は第１露光量で露光され、調整対象部分は第１露光量よりも大きい第２露光量で露光される。そのため、調整対象部分から除去される電荷の量は、非対象部分から除去される電荷の量よりも多い。接触部分近傍には転写手段からシートに転写電流が流れたことによる残留電荷が存在しているので、調整対象部分から除去される電荷の量が多くされることにより、露光後の接触部分の帯電量と接触部分以外の帯電量の偏差を小さくすることができる。その結果、感光体の表面の電位のばらつきによる濃度ムラを低減することができる。よって、感光体の表面に良好な濃度の現像剤像を形成することができる。
【００３３】
請求項１３に記載の発明によれば、作用手段は、感光体の表面に現像という作用を与える現像手段を含む。現像手段は、感光体の表面に対向して配置されている。現像手段には、現像電圧印加手段により、第１現像電圧または第２現像電圧が印加される。現像手段と感光体の表面との間の電位差により、現像手段から感光体の表面に現像剤が供給される。
非対象部分が現像手段に対向しているときには、現像手段に第１現像電圧が印加され、調整対象部分が現像手段に対向しているときには、現像手段に第１現像電圧よりも大きい第２現像電圧が印加される。接触部分には残留電荷が多く存在しているので、調整対象部分が現像手段に対向しているときに現像手段に印加される電圧が大きくされることにより、接触部分と現像手段との間の電位差と接触部分以外の部分と現像手段との間の電位差の間の偏差を小さくすることができる。その結果、現像手段から感光体に供給される現像剤の量のばらつき（むら）を低減することができる。よって、感光体の表面に良好な濃度の現像剤像を形成することができる。
【００３４】
請求項１４に記載の発明によれば、転写手段は、感光体の表面との間に所定幅のニップ部を形成する転写ローラである。この場合、調整対象部分とは、シートの先端縁を含む所定幅（ニップ部の幅と同じ幅）の部分をいう。
【図面の簡単な説明】
【００３５】
【図１】図１は、本発明の実施形態に係るプリンタの断面図である。
【図２】図２は、プリンタの電気的構成の要部を示すブロック図である。
【図３】図３は、クリーニングバイアステーブルの一例を示す図である。
【図４】図４は、画像形成動作時のバイアス制御を説明するためのタイミングチャートである。
【図５】図５は、回収物搬送動作中のバイアス制御を説明するためのタイミングチャートである。
【図６】図６は、本発明の第２の実施形態に係るバイアステーブルの一例を示す図である。
【図７】図７は、本発明の第３の実施形態に係るグリッドバイアステーブルの一例を示す図である。
【図８】図８は、画像形成動作時のグリッドバイアス制御を説明するためのタイミングチャートである。
【図９】図９は、用紙として厚紙が採用された場合のグリッドバイアステーブルの一例を示す図である。
【図１０】図１０は、グリッドに第２帯電電圧が印加される時間が変更される場合のグリッド時間テーブルの一例を示す図である。
【図１１】図１１は、用紙として厚紙が採用され、グリッドに第２帯電電圧が印加される時間が変更される場合のグリッド時間テーブルの一例を示す図である。
【図１２】図１２は、画像形成動作時のＬＥＤ駆動制御を説明するためのタイミングチャートである。
【図１３】図１３は、画像形成動作時の現像バイアス制御を説明するためのタイミングチャートである。
【発明を実施するための形態】
【００３６】
以下では、本発明の実施形態について、添付図面を参照しながら詳細に説明する。
１．プリンタの全体構成
図１は、本発明の実施形態に係るプリンタの断面図である。
画像形成装置の一例としてのプリンタ１は、ダイレクトタンデムタイプのカラープリンタである。
【００３７】
プリンタ１は、本体ケーシング２を備えている。本体ケーシング２内には、プロセスカートリッジ３が備えられている。４つのプロセスカートリッジ３（３Ｋ，３Ｙ，３Ｍ，３Ｃ）は、ブラック、イエロー、マゼンタおよびシアンの各色に対応して設けられ、後述する搬送ベルト１１による用紙Ｐの搬送方向において、その上流側からブラック、イエロー、マゼンタおよびシアンの順に等間隔に並べて配置されている。各プロセスカートリッジ３は、本体ケーシング２の上面に設けられたトップカバー４を開放した状態で、本体ケーシング２内に対して上方から装着することができる。
【００３８】
各プロセスカートリッジ３は、感光体の一例としての感光ドラム５、帯電手段の一例としてのスコロトロン帯電器６、現像手段の一例としての現像ローラ７および回収手段である回収ローラの一例としてのクリーニングローラ８を備えている。
スコロトロン帯電器６、現像ローラ７およびクリーニングローラ８は、感光ドラム５の周囲に配置されている。スコロトロン帯電器６は、感光ドラム５の表面と間隔を空けて対向配置された放電電極の一例としてのチャージワイヤ６１と、チャージワイヤ６１と感光ドラム５との間に配置されたグリッド６２とを備えている。現像ローラ７およびクリーニングローラ８は、それらの周面が感光ドラム５の表面に接触した状態に設けられている。
【００３９】
また、本体ケーシング２内には、４つのＬＥＤユニット９が各プロセスカートリッジ５に対応して設けられている。各ＬＥＤユニット９の先端部は、感光ドラム５の周面に対向配置されている。
画像形成動作時には、感光ドラム５が図１における反時計回りに一定速度で回転される。また、スコロトロン帯電器６のチャージワイヤ６１に正のワイヤバイアスが印加され、チャージワイヤ６１がコロナ放電する。その一方で、スコロトロン帯電器６のグリッド６２に正のグリッドバイアスが印加されることにより、チャージワイヤ６１から感光ドラム５の表面に供給される電荷の量が制御される。これにより、感光ドラム５の表面は、正極性に帯電する。
【００４０】
感光ドラム５の回転に伴って、感光ドラム５の表面の帯電した部分がＬＥＤユニット９に対向すると、ＬＥＤユニット９の先端部に設けられたＬＥＤ（図示せず）により、その帯電した部分が選択的に露光される。感光ドラム５の表面の露光された部分からは電荷が除去され、感光ドラム５の表面には、電位差による静電潜像が形成される。
また、現像ローラ７には、正の現像バイアスが印加される。感光ドラム５の回転に伴って、静電潜像が現像ローラ７に対向すると、現像ローラ７と感光ドラム５の表面との間の電位差により、現像ローラ７から静電潜像に正極性に帯電したトナーが供給される。これにより、静電潜像がトナー像に現像されて、感光ドラム５の表面にトナー像が担持される。
【００４１】
本体ケーシング２の底部には、シートの一例としての用紙Ｐを収容する給紙カセット１０が配置されている。給紙カセット１０に収容されている用紙Ｐは、各種ローラにより、搬送ベルト１１上に搬送される。
搬送ベルト１１は、４つの感光ドラム５に下方から対向して配置されている。各感光ドラム５に対して搬送ベルト１１の上側部分を挟んで対向する各位置には、転写ローラ１２が配置されている。各転写ローラ１２は、搬送ベルト１１を挟んで感光ドラム５の表面と接触し、感光ドラム５の表面と搬送ベルト１１との間には、所定幅Ｄ（図２参照）で互いに接触することによるニップ部が形成されている。搬送ベルト１１上に搬送された用紙Ｐは、搬送ベルト１１の走行により、各感光ドラム５と搬送ベルト１１との間を順次に通過する。各転写ローラ１２には、感光ドラム５の表面の帯電極性と逆極性である負の転写電流が供給される。感光ドラム５の表面上のトナー像は、転写ローラ１２に引きつけられ、感光ドラム５と搬送ベルト１１との間を通過する用紙Ｐに転写される。
【００４２】
搬送ベルト１１に対して用紙Ｐの搬送方向における下流側には、定着器１３が設けられている。トナー像が転写された用紙Ｐは、定着器１３に搬送される。定着器１３では、加熱および加圧により、トナー像が用紙Ｐに定着される。トナー像が定着した用紙Ｐは、各種ローラにより、本体ケーシング２の上面の排紙トレイ１４に排出される。
画像形成動作時には、クリーニングローラ８に負の回収バイアスが印加される。感光ドラム５から用紙Ｐへのトナー像の転写後、感光ドラム５の表面に残留しているトナーや用紙Ｐの紙粉などの付着物は、感光ドラム５の回転に伴ってクリーニングローラ８に対向したときに、クリーニングローラ８に回収される。
【００４３】
また、搬送ベルト１１の下方には、クリーニングローラ８に回収されたトナーなどの回収物を貯留するための廃トナーボックス１５が設けられている。
２．プリンタの電気的構成
図２は、プリンタの電気的構成の要部を示すブロック図である。
プリンタ１は、スコロトロン帯電器６のチャージワイヤ６１にワイヤバイアスを印加するワイヤバイアス回路２１と、スコロトロン帯電器６のグリッド６２にグリッドバイアスを印加するグリッドバイアス回路２２と、現像ローラ７に現像バイアスを印加する現像バイアス回路２３と、クリーニングローラ８にクリーニングバイアスを印加するクリーニングバイアス回路２４と、ＬＥＤユニット９の先端部に設けられたＬＥＤ（図示せず）を駆動するＬＥＤ駆動回路２５と、各転写ローラ１２に転写電流を供給する転写電流回路２６と、本体ケーシング２内の相対湿度を検知する湿度検知手段の一例としての湿度センサ２７とを備えている。
【００４４】
また、プリンタ１は、マイクロコンピュータ２８を備えている。マイクロコンピュータ２８は、ＣＰＵおよびメモリなどにより構成される。
マイクロコンピュータ２８は、ＣＰＵによるプログラム処理によってソフトウェア的に実現される構成として、ワイヤバイアス回路２１を制御するワイヤバイアス制御部２９と、グリッドバイアス回路２２を制御するグリッドバイアス制御部３０と、現像バイアス回路２３を制御する現像バイアス制御部３１と、クリーニングバイアス回路２４を制御するクリーニングバイアス制御部３２と、ＬＥＤ駆動回路２５を制御するＬＥＤ制御部３３と、転写電流回路２６を制御する転写電流制御部３４とを実質的に備えている。
【００４５】
マイクロコンピュータ２８のメモリには、クリーニングバイアス制御部３２によりクリーニングバイアスが設定される際に参照されるクリーニングバイアステーブル３５が格納されている。
３．クリーニングバイアステーブル
図３は、クリーニングバイアステーブルの一例を示す図である。
【００４６】
クリーニングバイアステーブル３５には、相対湿度０〜２０％、２０〜３０％、３０〜４０％、４０〜５０％、５０〜６０％、６０〜７０％、７０〜８０％および８０〜１００％の各範囲と、転写電流０〜５μＡ、５〜１０μＡ、１０〜１５μＡおよび１５〜２０μＡの各範囲との各組合せに対応づけて、クリーニングバイアスの補正値が記憶されている。なお、相対湿度および転写電流の各範囲には、当該範囲の下限値は含まれず、上限値は含まれる。
【００４７】
相対湿度０〜２０％の範囲および転写電流０〜５μＡの範囲の組合せに対応づけて、補正値「−１００Ｖ」が記憶されている。
相対湿度０〜２０％の範囲および転写電流５〜１０μＡの範囲の組合せに対応づけて、補正値「−２００Ｖ」が記憶されている。
相対湿度０〜２０％の範囲および転写電流１０〜１５μＡの範囲の組合せに対応づけて、補正値「−２００Ｖ」が記憶されている。
【００４８】
相対湿度０〜２０％の範囲および転写電流１５〜２０μＡの範囲の組合せに対応づけて、補正値「−２００Ｖ」が記憶されている。
相対湿度２０％〜３０％の範囲および転写電流０〜５μＡの範囲の組合せに対応づけて、補正値「−２００Ｖ」が記憶されている。
相対湿度２０％〜３０％の範囲および転写電流５〜１０μＡの範囲の組合せに対応づけて、補正値「−２００Ｖ」が記憶されている。
【００４９】
相対湿度２０％〜３０％の範囲および転写電流１０〜１５μＡの範囲の組合せに対応づけて、補正値「−２００Ｖ」が記憶されている。
相対湿度２０％〜３０％の範囲および転写電流１５〜２０μＡの範囲の組合せに対応づけて、補正値「−３００Ｖ」が記憶されている。
相対湿度３０％〜４０％の範囲および転写電流０〜５μＡの範囲の組合せに対応づけて、補正値「−２００Ｖ」が記憶されている。
【００５０】
相対湿度３０％〜４０％の範囲および転写電流５〜１０μＡの範囲の組合せに対応づけて、補正値「−２００Ｖ」が記憶されている。
相対湿度３０％〜４０％の範囲および転写電流１０〜１５μＡの範囲の組合せに対応づけて、補正値「−３００Ｖ」が記憶されている。
相対湿度３０％〜４０％の範囲および転写電流１５〜２０μＡの範囲の組合せに対応づけて、補正値「−３００Ｖ」が記憶されている。
【００５１】
相対湿度４０％〜５０％の範囲および転写電流０〜５μＡの範囲の組合せに対応づけて、補正値「−３００Ｖ」が記憶されている。
相対湿度４０％〜５０％の範囲および転写電流５〜１０μＡの範囲の組合せに対応づけて、補正値「−３００Ｖ」が記憶されている。
相対湿度４０％〜５０％の範囲および転写電流１０〜１５μＡの範囲の組合せに対応づけて、補正値「−３００Ｖ」が記憶されている。
【００５２】
相対湿度４０％〜５０％の範囲および転写電流１５〜２０μＡの範囲の組合せに対応づけて、補正値「−３００Ｖ」が記憶されている。
相対湿度５０％〜６０％の範囲および転写電流０〜５μＡの範囲の組合せに対応づけて、補正値「−３００Ｖ」が記憶されている。
相対湿度５０％〜６０％の範囲および転写電流５〜１０μＡの範囲の組合せに対応づけて、補正値「−３００Ｖ」が記憶されている。
【００５３】
相対湿度５０％〜６０％の範囲および転写電流１０〜１５μＡの範囲の組合せに対応づけて、補正値「−３００Ｖ」が記憶されている。
相対湿度５０％〜６０％の範囲および転写電流１５〜２０μＡの範囲の組合せに対応づけて、補正値「−４００Ｖ」が記憶されている。
相対湿度６０％〜７０％の範囲および転写電流０〜５μＡの範囲の組合せに対応づけて、補正値「−３００Ｖ」が記憶されている。
【００５４】
相対湿度６０％〜７０％の範囲および転写電流５〜１０μＡの範囲の組合せに対応づけて、補正値「−３００Ｖ」が記憶されている。
相対湿度６０％〜７０％の範囲および転写電流１０〜１５μＡの範囲の組合せに対応づけて、補正値「−３００Ｖ」が記憶されている。
相対湿度６０％〜７０％の範囲および転写電流１５〜２０μＡの範囲の組合せに対応づけて、補正値「−４００Ｖ」が記憶されている。
【００５５】
相対湿度７０％〜８０％の範囲および転写電流０〜５μＡの範囲の組合せに対応づけて、補正値「−４００Ｖ」が記憶されている。
相対湿度７０％〜８０％の範囲および転写電流５〜１０μＡの範囲の組合せに対応づけて、補正値「−４００Ｖ」が記憶されている。
相対湿度７０％〜８０％の範囲および転写電流１０〜１５μＡの範囲の組合せに対応づけて、補正値「−４００Ｖ」が記憶されている。
【００５６】
相対湿度７０％〜８０％の範囲および転写電流１５〜２０μＡの範囲の組合せに対応づけて、補正値「−４００Ｖ」が記憶されている。
相対湿度８０％〜１００％の範囲および転写電流０〜５μＡの範囲の組合せに対応づけて、補正値「−４００Ｖ」が記憶されている。
相対湿度８０％〜１００％の範囲および転写電流５〜１０μＡの範囲の組合せに対応づけて、補正値「−４００Ｖ」が記憶されている。
【００５７】
相対湿度８０％〜１００％の範囲および転写電流１０〜１５μＡの範囲の組合せに対応づけて、補正値「−４００Ｖ」が記憶されている。
相対湿度８０％〜１００％の範囲および転写電流１５〜２０μＡの範囲の組合せに対応づけて、補正値「−４００Ｖ」が記憶されている。
４．バイアス制御
（１）クリーニングバイアス
クリーニングバイアスは、クリーニングバイアス制御部３２により設定される。クリーニングバイアス制御部３２によりクリーニングバイアス回路２４が制御されることにより、その設定されたクリーニングバイアスがクリーニングバイアス回路２４からクリーニングローラ８に印加される。
【００５８】
画像形成動作時には、クリーニングバイアスが第１回収電圧と第２回収電圧とに切り換えられる。第１回収電圧は、感光ドラム５の表面の帯電極性（正極性）と逆極性の負電圧であり、たとえば、−５００Ｖに設定されている。第２回収電圧は、一定の基準値（たとえば、−８００Ｖ）にクリーニングバイアステーブル３５から読み出された補正値を加えた値に設定される。第２回収電圧は、常に、第１回収電圧と同極性で第１回収電圧よりも絶対値が大きい値に設定される。
【００５９】
プリンタ１では、画像形成動作の終了後に、クリーニングローラ８に回収されたトナーなどの回収物を廃トナーボックス１５に搬送するための回収物搬送動作が行われる。回収物搬送動作時には、クリーニングバイアスが第３回収電圧に設定される。第３回収電圧は、感光ドラム５の表面の帯電極性と同極性の正電圧であり、たとえば、８００Ｖに設定される。
（２）画像形成動作時のバイアス制御
図４は、画像形成動作時のバイアス制御を説明するためのタイミングチャートである。
【００６０】
画像形成動作時には、感光ドラム５は、その周面が図２に示す矢印Ａ方向（図２における反時計回り）に移動するように回転される。
時刻Ｔ１において、ワイヤバイアス制御部２９、グリッドバイアス制御部３０および現像バイアス制御部３１により、それぞれワイヤバイアス回路２１、グリッドバイアス回路２２および現像バイアス回路２３が制御され、チャージワイヤ６１へのワイヤバイアスの印加、グリッド６２へのグリッドバイアスの印加および現像ローラ７への現像バイアスの印加が開始される。このとき、ワイヤバイアスは定電流、たとえば２５０μＡ（５〜７ｋＶ程度）、グリッドバイアスおよび現像バイアスは、たとえば、それぞれ７５０Ｖおよび４００Ｖに設定される。また、クリーニングバイアス制御部３２により、クリーニングバイアス回路２４が制御され、クリーニングローラ８へのクリーニングバイアスの印加が開始される。このとき、クリーニングバイアスは、第１回収電圧に設定される。
【００６１】
感光ドラム５の回転に伴って、感光ドラム５の表面は、スコロトロン帯電器６からの放電により、正極性に帯電されていく。そして、ＬＥＤ制御部３３によりＬＥＤ駆動回路２５が制御され、ＬＥＤユニット９のＬＥＤが発光し、感光ドラム５の表面の正極性に帯電した部分が選択的に露光される。これにより、感光ドラム５の表面に静電潜像が形成される。
【００６２】
その後、感光ドラム５の回転に伴って、静電潜像が現像ローラ７に対向すると、現像ローラ７と感光ドラム５との電位差により、現像ローラ７から感光ドラム５の表面に形成された静電潜像にトナーが供給される。これにより、感光ドラム５の表面の静電潜像がトナー像に現像される。
一方、画像形成動作が開始されると、給紙トレイ１０から搬送ベルト１１上に向けて、用紙Ｐが送り出される。
【００６３】
画像形成動作が開始された時刻Ｔ１から一定時間が経過し、時刻Ｔ２になると、転写電流制御部３４により、転写電流回路２６が制御され、転写ローラ１２への転写電流の供給が開始される。転写ローラ１２に供給される転写電流は、湿度センサ２７により検出される相対湿度に応じて設定され、たとえば、用紙Ｐの搬送方向上流側から順に、１０μＡ、１１μＡ、１２μＡ、１３μＡに設定される。
【００６４】
転写電流の供給が開始された時刻Ｔ２から一定時間が経過し、時刻Ｔ３になると、用紙Ｐの先端縁が感光ドラム５の表面に当接する。その後、搬送ベルト１１の周回走行により用紙Ｐが搬送され、用紙Ｐが感光ドラム５の表面と搬送ベルト１１との間の所定幅Ｄ（図２参照）のニップ部を通過する。感光ドラム５の表面上のトナー像は、転写ローラ１２に引きつけられ、用紙Ｐのニップ部を通過する用紙Ｐに転写される。
【００６５】
用紙Ｐの先端縁が感光ドラム５の表面に当接した時刻Ｔ３から一定時間が経過し、時刻Ｔ４になると、感光ドラム５の表面における用紙Ｐの先端縁およびその近傍と接触していた部分（以下「接触部分」という。）を含む所定幅Ｄ（以下、「調整対象部分」という。）の先頭がクリーニングローラ８と対向する。つまり、時刻Ｔ４は、時刻Ｔ３から、調整対象部分の先頭が転写ローラ１２と対向する位置からクリーニングローラ８と対向する位置まで移動するのに要する時間が経過したときの時刻である。時刻Ｔ４になると、クリーニングバイアス回路２４が制御されることにより、クリーニングローラ８に印加されるクリーニングバイアスが、第１回収電圧から第２回収電圧へ切り替えられる。
【００６６】
第２回収電圧を設定するために、まず、クリーニングバイアス制御部３２により、湿度センサ２７の出力が参照され、本体ケーシング２内の相対湿度が検知される。その後、クリーニングバイアステーブル３５が参照される。そして、クリーニングバイアステーブル３５から相対湿度および各転写電流に応じた補正値が読み出される。
たとえば、相対湿度が３５％であり、用紙Ｐの搬送方向上流側の転写ローラ１２から順に、１０μＡ、１１μＡ、１２μＡ、１３μＡの転写電流が供給される場合、用紙Ｐの搬送方向最上流側のクリーニングローラ８に対する第２回収電圧を設定するための補正値として、「−２００Ｖ」がクリーニングバイアステーブル３５から読み出され、その他のクリーニングローラ８に対する第２回収電圧を設定するための補正値として、「−３００Ｖ」がクリーニングバイアス３５から読み出される。そして、基準値にクリーニングバイアステーブル３５から読み出された補正値を加えた値が第２回収電圧に設定される。たとえば、基準値が−５００Ｖである場合、用紙Ｐの搬送方向最上流側のクリーニングローラ８に対する第２回収電圧は、−７００Ｖに設定され、その他のクリーニングローラ８に対する第２回収電圧は、−８００Ｖに設定される。
【００６７】
第２回収電圧の供給が開始された時刻Ｔ４から感光ドラム５の表面が所定幅Ｄと等しい距離を移動するのに要する時間が経過し、時刻Ｔ５になると、クリーニングバイアス回路２４が制御されて、クリーニングローラ８に対して供給されるクリーニングバイアスが第２回収電圧から第１回収電圧へ戻される。これにより、トナー像が用紙Ｐに転写された後、感光ドラム５の表面に残留したトナーなどの付着物は、感光ドラム５の回転に伴って、クリーニングローラ８と対向したときに、クリーニングローラ８に回収される。
【００６８】
その後、用紙Ｐの後端が感光ドラム５の表面から離れ、そのときの時刻Ｔ６から一定時間が経過した時刻Ｔ７になると、転写ローラ１２への転写電流の供給が停止される。
そして、転写ローラ１２への転写電流の供給が停止された時刻Ｔ７から一定時間が経過し、時刻Ｔ８になると、チャージワイヤ６１へのワイヤバイアスの印加、グリッド６２へのグリッドバイアスの印加、現像ローラ７への現像バイアスの印加およびクリーニングローラ８へのクリーニングバイアスの印加が停止される。これにより、画像形成動作が終了となる。画像形成動作が終了した後は、クリーニングローラ８に回収されたトナーなどの回収物を廃トナーボックス１５に搬送するための回収物搬送動作が行われる。
（３）回収物搬送動作
図５は、回収物搬送動作中のバイアス制御を説明するためのタイミングチャートである。
【００６９】
回収物搬送動作時には、感光ドラム５は、その周面が図２に示す矢印Ａ方向（図２における反時計回り）に移動するように回転される。
時刻Ｔ１１において、ワイヤバイアス制御部２９およびグリッドバイアス制御部３０により、それぞれワイヤバイアス回路２１およびグリッドバイアス回路２２が制御され、チャージワイヤ６１へのワイヤバイアスの印加およびグリッド６２へのグリッドバイアスの印加が開始される。また、クリーニングバイアス制御部３２により、クリーニングバイアス回路２４が制御され、クリーニングローラ８への第３回収バイアスの印加が開始される。このとき、ワイヤバイアスおよびグリッドバイアスは、たとえば、それぞれ２５０μＡおよび７５０Ｖに設定される。さらに、現像ローラ７が感光ドラム５から離間される。
【００７０】
時刻Ｔ１１から一定時間が経過し、時刻Ｔ１２になると、転写電流制御部３４により、転写電流回路２６が制御され、転写ローラ１２への転写電流の供給が開始される。転写ローラ１２に供給される転写電流は、湿度センサ２７により検出される相対湿度に応じて設定され、たとえば、用紙Ｐの搬送方向上流側から順に、１０μＡ、１１μＡ、１２μＡ、１３μＡに設定される。
【００７１】
感光ドラム５の表面は、感光ドラム５の回転に伴って、転写電流によって第３回収電圧よりも低い電位に帯電されていく。これにより、感光ドラム５の表面の電位とクリーニングローラ８との間に電位差が生じ、この電位差により、画像形成動作中にクリーニングローラ８に回収されたトナーなどの回収物が感光ドラム５の表面に戻される。
そして、感光ドラム５の回転に伴って、感光ドラム５の表面に戻されたトナーは、転写ローラ１２と対向したときに、感光ドラム５の表面電位と転写ローラ１２との間の電位差により、感光ドラム５の表面から搬送ベルト１１の周面に転移する。搬送ベルト１１の周面に転移されたトナーは、搬送ベルト１１の周回走行により廃トナーボックス１５（図１参照）に対向すると、各種ローラなどを介して、廃トナーボックス１５内に回収される。
【００７２】
転写電流の供給が開始された時刻Ｔ１２から一定時間が経過し、時刻Ｔ１３になると、転写ローラ１２への転写電流の印加が停止される。
また、転写ローラ１２への転写電流の印加が停止された時刻Ｔ１３から一定時間が経過し、時刻Ｔ１４になると、チャージワイヤ６１へのワイヤバイアスの印加、グリッド６２へのグリッドバイアスの印加およびクリーニングローラ８へのクリーニングバイアスの印加が停止される。これにより、回収物搬送動作が終了となる。
【００７３】
回収物搬送動作の終了後、プリンタ１は、待機状態となる。
５．作用効果
以上のように、感光ドラム５の表面に形成されるトナー像は、転写ローラ１２に転写電流が供給されることにより、感光ドラム５と転写ローラ１２との間を通過する用紙Ｐに転写される。感光ドラム５の表面には、クリーニングローラ８が対向して配置されている。クリーニングローラ８には、クリーニングバイアス回路２４により、第１回収電圧または第２回収電圧が印加される。感光ドラム５から用紙Ｐへのトナー像の転写後に感光ドラム５の表面に残留するトナーは、クリーニングローラ８と感光ドラム５の表面との間の電位差により、クリーニングローラ８と対向したときに、クリーニングローラ８に回収される。
【００７４】
用紙Ｐの先端部分が感光ドラム５の表面に接触したときに、転写ローラ１２から用紙Ｐに転写電流が流れると、感光ドラム５の表面の接触部分の電位と接触部分以外の部分の電位との間に、それに起因する偏差が生じる。用紙Ｐへのトナー像の形成に対する電位偏差による影響が打ち消されるように、接触部分に印加されるクリーニングバイアスが設定されることにより、接触部分から用紙Ｐに転写されるトナー像と接触部分以外の部分から用紙Ｐに転写されるトナー像との間に、所望しない濃度の偏差（むら）が生じるのを防止することができる。よって、用紙Ｐに濃淡むらなどの不良を生じていないトナー像（画像）を形成することができる。
【００７５】
具体的には、感光ドラム５の表面における接触部分がクリーニングローラ８に対向しているときには、クリーニングローラ８に感光ドラム５の表面の帯電極性と逆極性で第１回収電圧よりも大きい第２回収電圧が印加される。これにより、トナー像の転写後に接触部分に電荷が残留していても、その残留電荷を除去することができる。その結果、接触部分と接触部分以外の部分との間の電位の偏差を小さくすることができ、感光ドラム５の表面の電位のばらつきを低減することができる。よって、感光ドラム５の表面に良好な濃度のトナー像を形成することができる。
【００７６】
また、プリンタ１では、感光ドラム５の表面から残留トナーがクリーニングローラ８に回収される。そのため、感光ドラム５の表面に形成されるトナー像に残留トナーが及ぼす影響（濃度むら）をなくすことができる。したがって、クリーニングローラ８により残留トナーを回収するクリーニング作用は、感光ドラム５の表面へのトナー剤の形成に間接的に関係するので、そのトナー像を形成するための作用に含まれ、クリーニングローラ８は、作用手段の一例である。
【００７７】
また、プリンタ１は、湿度を検知するための湿度センサ２７を備えている。湿度に応じて接触部分の残留電荷が変化するため、第２回収電圧の値は、湿度センサ２７により検知される湿度に基づいて設定される。
感光ドラム５から用紙Ｐへのトナー像の良好な転写を確保するために、転写ローラ１２に供給される転写電流の値が湿度の変化に応じて変更される。転写電流が変更されると、これに伴って、接触部分に残留する電荷の量が変化する。第２回収電圧の値が湿度センサ２７により検知される湿度に基づいて設定されるので、転写電流の値および湿度の変化に応じて、接触部分の残留電荷を良好に除去することができる。その結果、湿度にかかわらず、感光ドラム５の表面の電位のばらつきを低減することができ、用紙Ｐに良好な濃度のトナー像を形成することができる。
【００７８】
また、感光ドラム５は、用紙Ｐの搬送方向に沿って並列に複数配置されている。転写ローラ１２およびクリーニングローラ８は、各感光ドラム５に対応して設けられている。また、各転写ローラ１２に供給される転写電流の値に応じて、当該転写ローラ１２とともに感光ドラム５に対応して設けられるクリーニングローラ８に印加される第２回収電圧の値が設定される。これにより、各感光ドラム５の表面の接触部分の電位が転写電流の相違により異なっていても、各接触部分の残留電荷を良好に除去することができる。その結果、各感光ドラム５の表面の電位のばらつきを低減することができる。
【００７９】
また、各クリーニングローラ８に印加される第２回収電圧のうち、用紙Ｐの搬送方向の最上流側の感光ドラム５に対応して設けられているクリーニングローラ８に印加される第２回収電圧が最も小さい値に設定される。また、用紙Ｐの搬送方向の最下流側の感光ドラム５に対応して設けられているクリーニングローラ８に印加される第２回収電圧が最も大きい値に設定される。
【００８０】
複数の感光ドラム５が並列に配置されるプリンタ１では、感光ドラム５の表面に接触しながら搬送される用紙Ｐの搬送が進むにつれて、用紙Ｐ上のトナーの帯電量が増加（チャージアップ）するため、用紙Ｐの表面の電位が上昇する。用紙Ｐの表面の電位が上昇するにつれて、感光ドラム５と用紙Ｐとの間の電位差が小さくなるので、感光ドラム５から用紙Ｐ上のトナーに重ねて転写する場合、転移効率が下がる。そこで、各感光ドラム５から用紙Ｐへのトナーの良好な転写を確保するために、最上流側の感光ドラム５に対応して設けられている転写ローラ１２に供給される転写電流が最も小さい値に設定され、最下流側の感光ドラム５に対応して設けられている転写ローラ１２に供給される転写電流が最も大きい値に設定される。
【００８１】
これにより、用紙Ｐの先端部分が感光ドラム５の表面に接触したときに、転写ローラ１２から用紙Ｐに転写電流が流れると、各感光ドラム５の表面の接触部分に残留する電荷の量は、用紙Ｐとの間の電位差が最も小さい最下流側の感光ドラム５で最も多くなり、用紙Ｐとの間の電位差が最も大きい最上流側の感光ドラム５で最も少なくなる。これに応じて、最上流側の感光ドラム５に対応するクリーニングローラ８への第２回収電圧が最も小さい値に設定され、最下流側に配置される感光ドラム５に対応するクリーニングローラ８への第２回収電圧が最も大きい値に設定されるので、各感光ドラム５の接触部分の残留電荷を良好に除去することができる。その結果、各感光ドラム５の表面の電位のばらつきを良好に低減することができる。
【００８２】
また、クリーニングローラ８の周面と感光ドラム５の表面とが接触しているので、クリーニングローラ８による残留トナーの回収および感光ドラム５の表面の接触部分からの残留電荷の除去を安定して行うことができる。
６．第２の実施形態
図６は、本発明の第２の実施形態に係るバイアステーブルの一例を示す図である。
【００８３】
第２の実施形態に係るバイアステーブル５０は、湿度センサ２７により検出される相対湿度が５０％以上の場合に参照される。バイアステーブル５０では、転写電流０〜５μＡ、５〜１０μＡ、１０〜１５μＡおよび１５〜２０μＡの範囲に対応づけて、クリーニングバイアスの補正値として、それぞれ「−２００Ｖ」、「−２００Ｖ」、「−３００Ｖ」および「−３００Ｖ」が記憶されている。なお、転写バイアスの各範囲には、当該範囲の下限値は含まれず、上限値は含まれる。
【００８４】
そして、湿度センサ２７により検出される相対湿度が５０％未満である場合には、クリーニングバイアス制御部３２により、予め定められた基準値がそのまま第２回収電圧に設定される。一方、相対湿度が５０％以上である場合には、クリーニングバイアス制御部３２により、バイアステーブル５０が参照されて、バイアステーブル５０から相対湿度および転写電流に応じた補正値が読み出される。たとえば、相対湿度が５５％であり、転写電流７μＡである場合、バイアステーブル５０から補正値「−２００Ｖ」が読み出される。そして、基準値にバイアステーブル５０から読み出された補正値を加えた値が第２回収電圧に設定される。たとえば、基準値が−８００Ｖであり、補正値が−２００Ｖである場合、第２回収電圧は、−１０００Ｖに設定される。
【００８５】
このように、相対湿度が５０％以上であるか否かの２つの場合にわけられて、相対湿度が５０％よりも高い場合にのみ、第２回収電圧の値が基準値から変更される。そのため、相対湿度の変化が著しい場合に、第２回収電圧の値が頻繁に変更されるのを抑制することができる。その結果、クリーニングバイアス制御部３２にかかる負荷を軽減することができる。
７．第３の実施形態
第３の実施形態は、作用手段の一例として、スコロトロン帯電器６のグリッド６２が採用された場合の形態である。
（１）グリッドバイアステーブル
図７は、本発明の第３の実施形態に係るグリッドバイアステーブルの一例を示す図である。
【００８６】
グリッドバイアステーブル７１には、相対湿度０〜２０％、２０〜３０％、３０〜４０％、４０〜５０％、５０〜６０％、６０〜７０％、７０〜８０％および８０〜１００％の各範囲と、転写電流０〜８μＡ、８〜１０μＡ、１０〜１２μＡおよび１２〜１４μＡの各範囲との各組合せに対応づけて、グリッドバイアスの補正値が記憶されている。なお、相対湿度および転写電流の各範囲には、当該範囲の下限値は含まれず、上限値は含まれる。
【００８７】
相対湿度０〜２０％の範囲および転写電流０〜８μＡの範囲の組合せに対応づけて、補正値「０Ｖ」が記憶されている。
相対湿度０〜２０％の範囲および転写電流８〜１０μＡの範囲の組合せに対応づけて、補正値「−２０Ｖ」が記憶されている。
相対湿度０〜２０％の範囲および転写電流１０〜１２μＡの範囲の組合せに対応づけて、補正値「−３０Ｖ」が記憶されている。
【００８８】
相対湿度０〜２０％の範囲および転写電流１２〜１４μＡの範囲の組合せに対応づけて、補正値「−５０Ｖ」が記憶されている。
相対湿度２０％〜３０％の範囲および転写電流０〜８μＡの範囲の組合せに対応づけて、補正値「０Ｖ」が記憶されている。
相対湿度２０％〜３０％の範囲および転写電流８〜１０μＡの範囲の組合せに対応づけて、補正値「−２０Ｖ」が記憶されている。
【００８９】
相対湿度２０％〜３０％の範囲および転写電流１０〜１２μＡの範囲の組合せに対応づけて、補正値「−３０Ｖ」が記憶されている。
相対湿度２０％〜３０％の範囲および転写電流１２〜１４μＡの範囲の組合せに対応づけて、補正値「−５０Ｖ」が記憶されている。
相対湿度３０％〜４０％の範囲および転写電流０〜８μＡの範囲の組合せに対応づけて、補正値「０Ｖ」が記憶されている。
【００９０】
相対湿度３０％〜４０％の範囲および転写電流８〜１０μＡの範囲の組合せに対応づけて、補正値「−２０Ｖ」が記憶されている。
相対湿度３０％〜４０％の範囲および転写電流１０〜１２μＡの範囲の組合せに対応づけて、補正値「−３０Ｖ」が記憶されている。
相対湿度３０％〜４０％の範囲および転写電流１２〜１４μＡの範囲の組合せに対応づけて、補正値「−６０Ｖ」が記憶されている。
【００９１】
相対湿度４０％〜５０％の範囲および転写電流０〜８μＡの範囲の組合せに対応づけて、補正値「０Ｖ」が記憶されている。
相対湿度４０％〜５０％の範囲および転写電流８〜１０μＡの範囲の組合せに対応づけて、補正値「−３０Ｖ」が記憶されている。
相対湿度４０％〜５０％の範囲および転写電流１０〜１２μＡの範囲の組合せに対応づけて、補正値「−４０Ｖ」が記憶されている。
【００９２】
相対湿度４０％〜５０％の範囲および転写電流１２〜１４μＡの範囲の組合せに対応づけて、補正値「−６０Ｖ」が記憶されている。
相対湿度５０％〜６０％の範囲および転写電流０〜８μＡの範囲の組合せに対応づけて、補正値「０Ｖ」が記憶されている。
相対湿度５０％〜６０％の範囲および転写電流８〜１０μＡの範囲の組合せに対応づけて、補正値「−３０Ｖ」が記憶されている。
【００９３】
相対湿度５０％〜６０％の範囲および転写電流１０〜１２μＡの範囲の組合せに対応づけて、補正値「−４０Ｖ」が記憶されている。
相対湿度５０％〜６０％の範囲および転写電流１２〜１４μＡの範囲の組合せに対応づけて、補正値「−６０Ｖ」が記憶されている。
相対湿度６０％〜７０％の範囲および転写電流０〜８μＡの範囲の組合せに対応づけて、補正値「−１０Ｖ」が記憶されている。
【００９４】
相対湿度６０％〜７０％の範囲および転写電流８〜１０μＡの範囲の組合せに対応づけて、補正値「−３０Ｖ」が記憶されている。
相対湿度６０％〜７０％の範囲および転写電流１０〜１２μＡの範囲の組合せに対応づけて、補正値「−４０Ｖ」が記憶されている。
相対湿度６０％〜７０％の範囲および転写電流１２〜１４μＡの範囲の組合せに対応づけて、補正値「−６０Ｖ」が記憶されている。
【００９５】
相対湿度７０％〜８０％の範囲および転写電流０〜８μＡの範囲の組合せに対応づけて、補正値「−１０Ｖ」が記憶されている。
相対湿度７０％〜８０％の範囲および転写電流８〜１０μＡの範囲の組合せに対応づけて、補正値「−３０Ｖ」が記憶されている。
相対湿度７０％〜８０％の範囲および転写電流１０〜１２μＡの範囲の組合せに対応づけて、補正値「−４０Ｖ」が記憶されている。
【００９６】
相対湿度７０％〜８０％の範囲および転写電流１２〜１４μＡの範囲の組合せに対応づけて、補正値「−７０Ｖ」が記憶されている。
相対湿度８０％〜１００％の範囲および転写電流０〜８μＡの範囲の組合せに対応づけて、補正値「−２０Ｖ」が記憶されている。
相対湿度８０％〜１００％の範囲および転写電流８〜１０μＡの範囲の組合せに対応づけて、補正値「−３０Ｖ」が記憶されている。
【００９７】
相対湿度８０％〜１００％の範囲および転写電流１０〜１２μＡの範囲の組合せに対応づけて、補正値「−５０Ｖ」が記憶されている。
相対湿度８０％〜１００％の範囲および転写電流１２〜１４μＡの範囲の組合せに対応づけて、補正値「−７０Ｖ」が記憶されている。
（２）グリッドバイアス制御
図２に示すように、グリッドバイアスは、グリッドバイアス制御部３０により設定される。グリッドバイアス制御部３０によりグリッドバイアス回路２２が制御されることにより、その設定されたグリッドバイアスがグリッドバイアス回路２２からスコロトロン帯電器６のグリッド６２に印加される。
【００９８】
画像形成動作時には、グリッドバイアスが第１帯電電圧と第２帯電電圧とに切り換えられる。第１帯電電圧は、感光ドラム５の表面の帯電極性（正極性）と同極性の正電圧であり、たとえば、７５０Ｖに設定されている。第２帯電電圧は、一定の基準値（たとえば、７５０Ｖ）にグリッドバイアステーブル７１から読み出された補正値を加えた値に設定される。第２帯電電圧は、常に、第１帯電電圧と同極性で第１帯電電圧よりも絶対値が小さい値に設定される。
【００９９】
図８は、画像形成動作時のグリッドバイアス制御を説明するためのタイミングチャートである。
画像形成動作時には、感光ドラム５は、その周面が図２に示す矢印Ａ方向（図２における反時計回り）に移動するように回転される。
時刻Ｔ２１において、ワイヤバイアス制御部２９および現像バイアス制御部３１により、それぞれワイヤバイアス回路２１および現像バイアス回路２３が制御され、チャージワイヤ６１へのワイヤバイアスの印加および現像ローラ７への現像バイアスの印加が開始される。このとき、ワイヤバイアスおよび現像バイアスは、たとえば、それぞれ２５０μＡおよび４００Ｖに設定される。また、グリッドバイアス制御部３０により、グリッドバイアス回路２２が制御され、グリッド６２へのグリッドバイアスの印加が開始される。このとき、グリッドバイアスは、第１帯電電圧に設定される。
【０１００】
感光ドラム５の回転に伴って、感光ドラム５の表面は、スコロトロン帯電器６からの放電により、正極性に帯電されていく。そして、ＬＥＤ制御部３３によりＬＥＤ駆動回路２５が制御され、ＬＥＤユニット９のＬＥＤが発光し、感光ドラム５の表面の正極性に帯電した部分が選択的に露光される。これにより、感光ドラム５の表面に静電潜像が形成される。
【０１０１】
その後、感光ドラム５の回転に伴って、静電潜像が現像ローラ７に対向すると、現像ローラ７と感光ドラム５との電位差により、現像ローラ７から感光ドラム５の表面に形成された静電潜像にトナーが供給される。これにより、感光ドラム５の表面の静電潜像がトナー像に現像される。
一方、画像形成動作が開始されると、給紙トレイ１０から搬送ベルト１１上に向けて、用紙Ｐが送り出される。
【０１０２】
画像形成動作が開始された時刻Ｔ２１から一定時間が経過し、時刻Ｔ２２になると、転写電流制御部３４により、転写電流回路２６が制御され、転写ローラ１２への転写電流の供給が開始される。転写ローラ１２に供給される転写電流は、湿度センサ２７により検出される相対湿度に応じて設定され、たとえば、用紙Ｐの搬送方向上流側から順に、１０μＡ、１１μＡ、１２μＡ、１３μＡに設定される。
【０１０３】
転写電流の供給が開始された時刻Ｔ２２から一定時間が経過し、時刻Ｔ２３になると、用紙Ｐの先端縁が感光ドラム５の表面に当接する。その後、搬送ベルト１１の周回走行により用紙Ｐが搬送され、用紙Ｐが感光ドラム５の表面と搬送ベルト１１との間の所定幅Ｄ（図２参照）のニップ部を通過する。感光ドラム５の表面上のトナー像は、転写ローラ１２に引きつけられ、用紙Ｐのニップ部を通過する用紙Ｐに転写される。
【０１０４】
用紙Ｐの先端縁が感光ドラム５の表面に当接した時刻Ｔ２３から一定時間が経過し、時刻Ｔ２４になると、感光ドラム５の表面における接触部分を含む調整対象部分の先頭がスコロトロン帯電器６のグリッド６２と対向する。つまり、時刻Ｔ２４は、時刻Ｔ２３から、調整対象部分の先頭が転写ローラ１２と対向する位置からグリッド６２と対向する位置まで移動するのに要する時間が経過したときの時刻である。時刻Ｔ２４になると、グリッドバイアス回路２２が制御されることにより、グリッド６２に印加されるグリッドバイアスが、第１帯電電圧から第２帯電電圧へ切り替えられる。
【０１０５】
第２帯電電圧を設定するために、まず、グリッドバイアス制御部３０により、湿度センサ２７の出力が参照され、本体ケーシング２内の相対湿度が検知される。その後、グリッドバイアステーブル７１が参照される。そして、グリッドバイアステーブル７１から相対湿度および各転写電流に応じた補正値が読み出される。
たとえば、相対湿度が３５％であり、用紙Ｐの搬送方向上流側の転写ローラ１２から順に、１０μＡ、１１μＡ、１２μＡ、１３μＡの転写電流が供給される場合、用紙Ｐの搬送方向最上流側のスコロトロン帯電器６のグリッド６２に対する第２帯電電圧を設定するための補正値として、「−２０Ｖ」がグリッドバイアステーブル７１から読み出される。また、用紙Ｐの搬送方向最下流側のスコロトロン帯電器６のグリッド６２に対する第２帯電電圧を設定するための補正値として、「−６０Ｖ」がグリッドバイアステーブル７１から読み出される。さらに、その他のスコロトロン帯電器６のグリッド６２に対する第２帯電電圧を設定するための補正値として、「−３０Ｖ」がグリッドバイアステーブル７１から読み出される。そして、基準値にグリッドバイアステーブル７１から読み出された補正値を加えた値が第２帯電電圧に設定される。たとえば、基準値が７５０Ｖである場合、用紙Ｐの搬送方向上流側から順に並ぶスコロトロン帯電器６のグリッド６２に対して、それぞれ第２帯電電圧が７３０Ｖ、７２０Ｖ、７２０Ｖおよび６９０Ｖに設定される。
【０１０６】
第２帯電電圧の供給が開始された時刻Ｔ２４から感光ドラム５の表面が所定幅Ｄと等しい距離を移動するのに要する時間（たとえば、１５ｍｓｅｃ）が経過し、時刻Ｔ２５になると、グリッドバイアス回路２２が制御されて、グリッド６２に対して供給されるグリッドバイアスが第２帯電電圧から第１帯電電圧へ戻される。
その後、用紙Ｐの後端が感光ドラム５の表面から離れ、そのときの時刻Ｔ２６から一定時間が経過した時刻Ｔ２７になると、転写ローラ１２への転写電流の供給が停止される。
【０１０７】
そして、転写ローラ１２への転写電流の供給が停止された時刻Ｔ２７から一定時間が経過し、時刻Ｔ２８になると、チャージワイヤ６１へのワイヤバイアスの印加、グリッド６２へのグリッドバイアスの印加および現像ローラ７への現像バイアスの印加が停止される。これにより、画像形成動作が終了となる。
（３）作用効果
以上のように、グリッド６２は、感光ドラム５の表面に対向して配置されている。グリッド６２には、グリッドバイアス回路２２により、第１帯電電圧または第２帯電電圧が印加される。グリッド６２の電位によってチャージワイヤ６１から感光ドラム５の表面に供給される電荷が制御され、感光ドラム５の表面の電位が制御される。
【０１０８】
感光ドラム５の表面における調整対象部分以外の非対象部分がグリッド６２に対向しているときには、グリッド６２に第１帯電電圧が印加され、調整対象部分がグリッド６２に対向しているときには、グリッド６２に第１帯電電圧よりも小さい第２帯電電圧が印加される。そのため、グリッド６２から調整対象部分に供給される電荷の量は、グリッド６２から非対象部分に供給される電荷の量よりも少ない。接触部分には電荷がより多く残留しているので、調整対象部分に供給される電荷の量が少なくされることにより、接触部分の帯電量と接触部分以外の帯電量の偏差を小さくすることができる。その結果、感光ドラム５の表面の電位のばらつきを低減することができる。よって、感光ドラム５の表面に良好な濃度のトナー像を形成することができる。
【０１０９】
また、プリンタ１は、湿度を検知するための湿度センサ２７を備えている。第２帯電電圧の値は、湿度センサ２７により検知される湿度に基づいて設定される。
感光ドラム５の表面の単位面積（たとえば、１画素）あたりのスコロトロン帯電器６による帯電量の増加分は、スコロトロン帯電器６からその単位面積部分に供給される電荷の量の時間積分値である。したがって、第２帯電電圧の値を変更することにより、接触部分の帯電量を変更することができる。
【０１１０】
感光ドラム５から用紙Ｐへのトナー像の良好な転写を確保するために、転写ローラ１２に供給される転写電流の値が湿度の変化に応じて変更される。転写電流が変更されると、これに伴って、調整対象部分に残留する電荷の量が変化する。また、湿度によっても残留する電化は変化する。第２帯電電圧の値が湿度センサ２７により検知される湿度に基づいて設定されるので、転写電流の値が湿度の変化に応じて、接触部分の帯電量と接触部分以外の帯電量の偏差を小さくすることができる。その結果、湿度にかかわらず、感光ドラム５の表面の電位のばらつきを低減することができ、用紙Ｐに良好な濃度のトナー像を形成することができる。
（４）第１変形例
用紙Ｐとして普通紙が使用される場合と用紙Ｐとして厚紙が使用される場合とで、転写ローラ１２に供給される転写電流の値が変更される場合、第２帯電電圧を設定するための補正値を記憶したグリッドバイアステーブルとして、普通紙用のグリッドバイアステーブルと厚紙用のグリッドバイアステーブルとが用意されてもよい。この場合、図７に示すグリッドバイアステーブル７１は、用紙Ｐが普通紙である場合に使用される。
（４−１）グリッドバイアステーブル
図９は、厚紙用のグリッドバイアステーブルの一例を示す図である。
【０１１１】
図９に示すグリッドバイアステーブル９１には、相対湿度０〜２０％、２０〜３０％、３０〜４０％、４０〜５０％、５０〜６０％、６０〜７０％、７０〜８０％および８０〜１００％の各範囲と、転写電流０〜４μＡ、４〜６μＡ、６〜８μＡおよび８〜１０μＡの各範囲との各組合せに対応づけて、グリッドバイアスの補正値が記憶されている。なお、相対湿度および転写電流の各範囲には、当該範囲の下限値は含まれず、上限値は含まれる。
【０１１２】
相対湿度０〜２０％の範囲および転写電流０〜４μＡの範囲の組合せに対応づけて、補正値「０Ｖ」が記憶されている。
相対湿度０〜２０％の範囲および転写電流４〜６μＡの範囲の組合せに対応づけて、補正値「−２０Ｖ」が記憶されている。
相対湿度０〜２０％の範囲および転写電流６〜８μＡの範囲の組合せに対応づけて、補正値「−３０Ｖ」が記憶されている。
【０１１３】
相対湿度０〜２０％の範囲および転写電流８〜１０μＡの範囲の組合せに対応づけて、補正値「−５０Ｖ」が記憶されている。
相対湿度２０％〜３０％の範囲および転写電流０〜４μＡの範囲の組合せに対応づけて、補正値「０Ｖ」が記憶されている。
相対湿度２０％〜３０％の範囲および転写電流４〜６μＡの範囲の組合せに対応づけて、補正値「−２０Ｖ」が記憶されている。
【０１１４】
相対湿度２０％〜３０％の範囲および転写電流６〜８μＡの範囲の組合せに対応づけて、補正値「−３０Ｖ」が記憶されている。
相対湿度２０％〜３０％の範囲および転写電流８〜１０μＡの範囲の組合せに対応づけて、補正値「−５０Ｖ」が記憶されている。
相対湿度３０％〜４０％の範囲および転写電流０〜４μＡの範囲の組合せに対応づけて、補正値「０Ｖ」が記憶されている。
【０１１５】
相対湿度３０％〜４０％の範囲および転写電流４〜６μＡの範囲の組合せに対応づけて、補正値「−２０Ｖ」が記憶されている。
相対湿度３０％〜４０％の範囲および転写電流６〜８μＡの範囲の組合せに対応づけて、補正値「−３０Ｖ」が記憶されている。
相対湿度３０％〜４０％の範囲および転写電流８〜１０μＡの範囲の組合せに対応づけて、補正値「−６０Ｖ」が記憶されている。
【０１１６】
相対湿度４０％〜５０％の範囲および転写電流０〜４μＡの範囲の組合せに対応づけて、補正値「０Ｖ」が記憶されている。
相対湿度４０％〜５０％の範囲および転写電流４〜６μＡの範囲の組合せに対応づけて、補正値「−３０Ｖ」が記憶されている。
相対湿度４０％〜５０％の範囲および転写電流６〜８μＡの範囲の組合せに対応づけて、補正値「−４０Ｖ」が記憶されている。
【０１１７】
相対湿度４０％〜５０％の範囲および転写電流８〜１０μＡの範囲の組合せに対応づけて、補正値「−６０Ｖ」が記憶されている。
相対湿度５０％〜６０％の範囲および転写電流０〜４μＡの範囲の組合せに対応づけて、補正値「０Ｖ」が記憶されている。
相対湿度５０％〜６０％の範囲および転写電流４〜６μＡの範囲の組合せに対応づけて、補正値「−３０Ｖ」が記憶されている。
【０１１８】
相対湿度５０％〜６０％の範囲および転写電流６〜８μＡの範囲の組合せに対応づけて、補正値「−４０Ｖ」が記憶されている。
相対湿度５０％〜６０％の範囲および転写電流８〜１０μＡの範囲の組合せに対応づけて、補正値「−６０Ｖ」が記憶されている。
相対湿度６０％〜７０％の範囲および転写電流０〜４μＡの範囲の組合せに対応づけて、補正値「−１０Ｖ」が記憶されている。
【０１１９】
相対湿度６０％〜７０％の範囲および転写電流４〜６μＡの範囲の組合せに対応づけて、補正値「−３０Ｖ」が記憶されている。
相対湿度６０％〜７０％の範囲および転写電流６〜８μＡの範囲の組合せに対応づけて、補正値「−４０Ｖ」が記憶されている。
相対湿度６０％〜７０％の範囲および転写電流８〜１０μＡの範囲の組合せに対応づけて、補正値「−６０Ｖ」が記憶されている。
【０１２０】
相対湿度７０％〜８０％の範囲および転写電流０〜４μＡの範囲の組合せに対応づけて、補正値「−１０Ｖ」が記憶されている。
相対湿度７０％〜８０％の範囲および転写電流４〜６μＡの範囲の組合せに対応づけて、補正値「−３０Ｖ」が記憶されている。
相対湿度７０％〜８０％の範囲および転写電流６〜８μＡの範囲の組合せに対応づけて、補正値「−４０Ｖ」が記憶されている。
【０１２１】
相対湿度７０％〜８０％の範囲および転写電流８〜１０μＡの範囲の組合せに対応づけて、補正値「−７０Ｖ」が記憶されている。
相対湿度８０％〜１００％の範囲および転写電流０〜４μＡの範囲の組合せに対応づけて、補正値「−２０Ｖ」が記憶されている。
相対湿度８０％〜１００％の範囲および転写電流４〜６μＡの範囲の組合せに対応づけて、補正値「−３０Ｖ」が記憶されている。
【０１２２】
相対湿度８０％〜１００％の範囲および転写電流６〜８μＡの範囲の組合せに対応づけて、補正値「−５０Ｖ」が記憶されている。
相対湿度８０％〜１００％の範囲および転写電流８〜１０μＡの範囲の組合せに対応づけて、補正値「−７０Ｖ」が記憶されている。
（４−２）効果
感光ドラム５から用紙Ｐへのトナー像の良好な転写を確保するために、転写ローラ１２に供給される転写電流の値が用紙Ｐの種類に応じて変更されても、その種類に応じたグリッドバイアステーブル７１，９１が参照されて第２帯電電圧が設定されることにより、接触部分の帯電量と接触部分以外の帯電量の偏差を小さくすることができる。その結果、用紙Ｐの種類にかかわらず、感光ドラム５の表面の電位のばらつきを低減することができ、用紙Ｐに良好な濃度のトナー像を形成することができる。
【０１２３】
なお、グリッドバイアスを変更する方法として、チャージワイヤ６１に流す電流を変化させる方法もある。
（５）第２変形例
チャージワイヤ６１からの放電による感光ドラム５の表面の単位面積（たとえば、１画素）あたりの帯電量は、チャージワイヤ６１からその単位面積部分に供給される電荷の量の時間積分値である。したがって、第２帯電電圧がグリッド６２に印加される時間を変更することにより、接触部分の帯電量を変更することも可能である。
（５−１）グリッドバイアステーブル
図１０は、グリッドに第２帯電電圧が印加される時間が変更される場合のグリッド時間テーブルの一例を示す図である。
【０１２４】
第２帯電電圧の補正値（低下量）を一定（たとえば、−３０Ｖ）とし、グリッド６２に第２帯電電圧が印加される時間を可変とする場合では、図７に示すグリッドバイアステーブル７１に代えて、図１０に示すグリッド時間テーブル１０１が参照され、グリッド６２に第２帯電電圧が印加される時間が一定の基準値（たとえば、１５ｍｓ）にグリッド時間テーブル１０１から読み出された補正値を加えた値に設定される。
【０１２５】
グリッド時間テーブル１０１には、相対湿度０〜２０％、２０〜３０％、３０〜４０％、４０〜５０％、５０〜６０％、６０〜７０％、７０〜８０％および８０〜１００％の各範囲と、転写電流０〜８μＡ、８〜１０μＡ、１０〜１２μＡおよび１２〜１４μＡの各範囲との各組合せに対応づけて、グリッド６２に第２帯電電圧が印加される時間の補正値が記憶されている。なお、相対湿度および転写電流の各範囲には、当該範囲の下限値は含まれず、上限値は含まれる。
【０１２６】
相対湿度０〜２０％の範囲および転写電流０〜８μＡの範囲の組合せに対応づけて、補正値「０ｍｓ」が記憶されている。
相対湿度０〜２０％の範囲および転写電流８〜１０μＡの範囲の組合せに対応づけて、補正値「１０ｍｓ」が記憶されている。
相対湿度０〜２０％の範囲および転写電流１０〜１２μＡの範囲の組合せに対応づけて、補正値「１５ｍｓ」が記憶されている。
【０１２７】
相対湿度０〜２０％の範囲および転写電流１２〜１４μＡの範囲の組合せに対応づけて、補正値「２５ｍｓ」が記憶されている。
相対湿度２０％〜３０％の範囲および転写電流０〜８μＡの範囲の組合せに対応づけて、補正値「０ｍｓ」が記憶されている。
相対湿度２０％〜３０％の範囲および転写電流８〜１０μＡの範囲の組合せに対応づけて、補正値「１０ｍｓ」が記憶されている。
【０１２８】
相対湿度２０％〜３０％の範囲および転写電流１０〜１２μＡの範囲の組合せに対応づけて、補正値「１５ｍｓ」が記憶されている。
相対湿度２０％〜３０％の範囲および転写電流１２〜１４μＡの範囲の組合せに対応づけて、補正値「２５ｍｓ」が記憶されている。
相対湿度３０％〜４０％の範囲および転写電流０〜８μＡの範囲の組合せに対応づけて、補正値「０ｍｓ」が記憶されている。
【０１２９】
相対湿度３０％〜４０％の範囲および転写電流８〜１０μＡの範囲の組合せに対応づけて、補正値「１０ｍｓ」が記憶されている。
相対湿度３０％〜４０％の範囲および転写電流１０〜１２μＡの範囲の組合せに対応づけて、補正値「１５ｍｓ」が記憶されている。
相対湿度３０％〜４０％の範囲および転写電流１２〜１４μＡの範囲の組合せに対応づけて、補正値「２５ｍｓ」が記憶されている。
【０１３０】
相対湿度４０％〜５０％の範囲および転写電流０〜８μＡの範囲の組合せに対応づけて、補正値「０ｍｓ」が記憶されている。
相対湿度４０％〜５０％の範囲および転写電流８〜１０μＡの範囲の組合せに対応づけて、補正値「１５ｍｓ」が記憶されている。
相対湿度４０％〜５０％の範囲および転写電流１０〜１２μＡの範囲の組合せに対応づけて、補正値「２０ｍｓ」が記憶されている。
【０１３１】
相対湿度４０％〜５０％の範囲および転写電流１２〜１４μＡの範囲の組合せに対応づけて、補正値「３０ｍｓ」が記憶されている。
相対湿度５０％〜６０％の範囲および転写電流０〜８μＡの範囲の組合せに対応づけて、補正値「０ｍｓ」が記憶されている。
相対湿度５０％〜６０％の範囲および転写電流８〜１０μＡの範囲の組合せに対応づけて、補正値「１５ｍｓ」が記憶されている。
【０１３２】
相対湿度５０％〜６０％の範囲および転写電流１０〜１２μＡの範囲の組合せに対応づけて、補正値「２０ｍｓ」が記憶されている。
相対湿度５０％〜６０％の範囲および転写電流１２〜１４μＡの範囲の組合せに対応づけて、補正値「３０ｍｓ」が記憶されている。
相対湿度６０％〜７０％の範囲および転写電流０〜８μＡの範囲の組合せに対応づけて、補正値「５ｍｓ」が記憶されている。
【０１３３】
相対湿度６０％〜７０％の範囲および転写電流８〜１０μＡの範囲の組合せに対応づけて、補正値「１５ｍｓ」が記憶されている。
相対湿度６０％〜７０％の範囲および転写電流１０〜１２μＡの範囲の組合せに対応づけて、補正値「２０ｍｓ」が記憶されている。
相対湿度６０％〜７０％の範囲および転写電流１２〜１４μＡの範囲の組合せに対応づけて、補正値「３０ｍｓ」が記憶されている。
【０１３４】
相対湿度７０％〜８０％の範囲および転写電流０〜８μＡの範囲の組合せに対応づけて、補正値「５ｍｓ」が記憶されている。
相対湿度７０％〜８０％の範囲および転写電流８〜１０μＡの範囲の組合せに対応づけて、補正値「１５ｍｓ」が記憶されている。
相対湿度７０％〜８０％の範囲および転写電流１０〜１２μＡの範囲の組合せに対応づけて、補正値「２０ｍｓ」が記憶されている。
【０１３５】
相対湿度７０％〜８０％の範囲および転写電流１２〜１４μＡの範囲の組合せに対応づけて、補正値「３５ｍｓ」が記憶されている。
相対湿度８０％〜１００％の範囲および転写電流０〜８μＡの範囲の組合せに対応づけて、補正値「５ｍｓ」が記憶されている。
相対湿度８０％〜１００％の範囲および転写電流８〜１０μＡの範囲の組合せに対応づけて、補正値「１５ｍｓ」が記憶されている。
【０１３６】
相対湿度８０％〜１００％の範囲および転写電流１０〜１２μＡの範囲の組合せに対応づけて、補正値「２５ｍｓ」が記憶されている。
相対湿度８０％〜１００％の範囲および転写電流１２〜１４μＡの範囲の組合せに対応づけて、補正値「３５ｍｓ」が記憶されている。
たとえば、相対湿度が３５％であり、転写電流が１１μＡである場合、グリッド時間テーブル１０１から補正値として１５ｍｓｅｃが読み出される。グリッド６２に第２帯電電圧が印加される時間Ｔ２４−Ｔ２５は、１５ｍｓｅｃに設定される。
（６）第３変形例
用紙Ｐとして普通紙が使用される場合と用紙Ｐとして厚紙が使用される場合とで、転写ローラ１２に供給される転写電流の値が変更される場合、第２帯電電圧の印加時間を設定するための補正値を記憶したグリッド時間テーブルとして、普通紙用のグリッド時間テーブルと厚紙用のグリッド時間テーブルとが用意されてもよい。この場合、図１０に示すグリッド時間テーブル１０１は、用紙Ｐが普通紙である場合に使用される。
（６−１）グリッド時間テーブル
図１１は、厚紙用のグリッド時間テーブルの一例を示す図である。
【０１３７】
プリンタ１には、図示しない用紙検出部が設けられている。この用紙検出部により、用紙Ｐが厚紙であると検出された場合には、図１０に示すグリッド時間テーブル１０１に代えて、図１１に示すグリッド時間テーブル１１１が参照され、グリッド６２に第２帯電電圧が印加される時間がグリッド時間テーブル１１１から読み出された値に設定される。
グリッド時間テーブル１０１には、相対湿度０〜２０％、２０〜３０％、３０〜４０％、４０〜５０％、５０〜６０％、６０〜７０％、７０〜８０％および８０〜１００％の各範囲と、転写電流０〜８μＡ、８〜１０μＡ、１０〜１２μＡおよび１２〜１４μＡの各範囲との各組合せに対応づけて、グリッド６２に第２帯電電圧が印加される時間の補正値が記憶されている。なお、相対湿度および転写電流の各範囲には、当該範囲の下限値は含まれず、上限値は含まれる。
【０１３８】
相対湿度０〜２０％の範囲および転写電流０〜４μＡの範囲の組合せに対応づけて、補正値「０ｍｓ」が記憶されている。
相対湿度０〜２０％の範囲および転写電流４〜６μＡの範囲の組合せに対応づけて、補正値「１０ｍｓ」が記憶されている。
相対湿度０〜２０％の範囲および転写電流６〜８μＡの範囲の組合せに対応づけて、補正値「１５ｍｓ」が記憶されている。
【０１３９】
相対湿度０〜２０％の範囲および転写電流８〜１０μＡの範囲の組合せに対応づけて、補正値「２５ｍｓ」が記憶されている。
相対湿度２０％〜３０％の範囲および転写電流０〜４μＡの範囲の組合せに対応づけて、補正値「０ｍｓ」が記憶されている。
相対湿度２０％〜３０％の範囲および転写電流４〜６μＡの範囲の組合せに対応づけて、補正値「１０ｍｓ」が記憶されている。
【０１４０】
相対湿度２０％〜３０％の範囲および転写電流６〜８μＡの範囲の組合せに対応づけて、補正値「１５ｍｓ」が記憶されている。
相対湿度２０％〜３０％の範囲および転写電流８〜１０μＡの範囲の組合せに対応づけて、補正値「２５ｍｓ」が記憶されている。
相対湿度３０％〜４０％の範囲および転写電流０〜４μＡの範囲の組合せに対応づけて、補正値「０ｍｓ」が記憶されている。
【０１４１】
相対湿度３０％〜４０％の範囲および転写電流４〜６μＡの範囲の組合せに対応づけて、補正値「１０ｍｓ」が記憶されている。
相対湿度３０％〜４０％の範囲および転写電流６〜８μＡの範囲の組合せに対応づけて、補正値「１５ｍｓ」が記憶されている。
相対湿度３０％〜４０％の範囲および転写電流８〜１０μＡの範囲の組合せに対応づけて、補正値「２５ｍｓ」が記憶されている。
【０１４２】
相対湿度４０％〜５０％の範囲および転写電流０〜４μＡの範囲の組合せに対応づけて、補正値「０ｍｓ」が記憶されている。
相対湿度４０％〜５０％の範囲および転写電流４〜６μＡの範囲の組合せに対応づけて、補正値「１５ｍｓ」が記憶されている。
相対湿度４０％〜５０％の範囲および転写電流６〜８μＡの範囲の組合せに対応づけて、補正値「２０ｍｓ」が記憶されている。
【０１４３】
相対湿度４０％〜５０％の範囲および転写電流８〜１０μＡの範囲の組合せに対応づけて、補正値「３０ｍｓ」が記憶されている。
相対湿度５０％〜６０％の範囲および転写電流０〜４μＡの範囲の組合せに対応づけて、補正値「０ｍｓ」が記憶されている。
相対湿度５０％〜６０％の範囲および転写電流４〜６μＡの範囲の組合せに対応づけて、補正値「１５ｍｓ」が記憶されている。
【０１４４】
相対湿度５０％〜６０％の範囲および転写電流６〜８μＡの範囲の組合せに対応づけて、補正値「２０ｍｓ」が記憶されている。
相対湿度５０％〜６０％の範囲および転写電流８〜１０μＡの範囲の組合せに対応づけて、補正値「３０ｍｓ」が記憶されている。
相対湿度６０％〜７０％の範囲および転写電流０〜４μＡの範囲の組合せに対応づけて、補正値「５ｍｓ」が記憶されている。
【０１４５】
相対湿度６０％〜７０％の範囲および転写電流４〜６μＡの範囲の組合せに対応づけて、補正値「１５ｍｓ」が記憶されている。
相対湿度６０％〜７０％の範囲および転写電流６〜８μＡの範囲の組合せに対応づけて、補正値「２０ｍｓ」が記憶されている。
相対湿度６０％〜７０％の範囲および転写電流８〜１０μＡの範囲の組合せに対応づけて、補正値「３０ｍｓ」が記憶されている。
【０１４６】
相対湿度７０％〜８０％の範囲および転写電流０〜４μＡの範囲の組合せに対応づけて、補正値「５ｍｓ」が記憶されている。
相対湿度７０％〜８０％の範囲および転写電流４〜６μＡの範囲の組合せに対応づけて、補正値「１５ｍｓ」が記憶されている。
相対湿度７０％〜８０％の範囲および転写電流６〜８μＡの範囲の組合せに対応づけて、補正値「２０ｍｓ」が記憶されている。
【０１４７】
相対湿度７０％〜８０％の範囲および転写電流８〜１０μＡの範囲の組合せに対応づけて、補正値「３５ｍｓ」が記憶されている。
相対湿度８０％〜１００％の範囲および転写電流０〜４μＡの範囲の組合せに対応づけて、補正値「５ｍｓ」が記憶されている。
相対湿度８０％〜１００％の範囲および転写電流４〜６μＡの範囲の組合せに対応づけて、補正値「１５ｍｓ」が記憶されている。
【０１４８】
相対湿度８０％〜１００％の範囲および転写電流６〜８μＡの範囲の組合せに対応づけて、補正値「２５ｍｓ」が記憶されている。
相対湿度８０％〜１００％の範囲および転写電流８〜１０μＡの範囲の組合せに対応づけて、補正値「３５ｍｓ」が記憶されている。
（６−２）効果
感光ドラム５から用紙Ｐへのトナー像の良好な転写を確保するために、転写ローラ１２に供給される転写電流の値が用紙Ｐの種類に応じて変更されても、その種類に応じたグリッド時間テーブル１０１，１１１が参照されて第２帯電電圧の印加時間が設定されることにより、接触部分の帯電量と接触部分以外の帯電量の偏差を小さくすることができる。その結果、用紙Ｐの種類にかかわらず、感光ドラム５の表面の電位のばらつきを低減することができ、用紙Ｐに良好な濃度のトナー像を形成することができる。
８．第４の実施形態
第４の実施形態は、作用手段の一例として、ＬＥＤユニット９が採用された場合の形態である。
（１）ＬＥＤ駆動制御
図１２は、画像形成動作時のＬＥＤ駆動制御を説明するためのタイミングチャートである。
【０１４９】
画像形成動作時には、感光ドラム５は、その周面が図２に示す矢印Ａ方向（図２における反時計回り）に移動するように回転される。
時刻Ｔ３１において、ワイヤバイアス制御部２９、グリッドバイアス制御部３０および現像バイアス制御部３１により、それぞれワイヤバイアス回路２１、グリッドバイアス回路２２および現像バイアス回路２３が制御され、チャージワイヤ６１へのワイヤバイアスの印加、グリッド６２へのグリッドバイアスの印加および現像ローラ７への現像バイアスの印加が開始される。このとき、ワイヤバイアス、グリッドバイアスおよび現像バイアスは、たとえば、それぞれ２５０μＡ、７５０Ｖおよび４００Ｖに設定される。
【０１５０】
感光ドラム５の回転に伴って、感光ドラム５の表面は、スコロトロン帯電器６からの放電により、正極性に帯電されていく。そして、ＬＥＤ制御部３３によりＬＥＤ駆動回路２５が制御され、ＬＥＤユニット９のＬＥＤが第１露光量（たとえば、０．７μＪ／ｃｍ２）で発光し、感光ドラム５の表面の正極性に帯電した部分が選択的に露光される。これにより、感光ドラム５の表面に静電潜像が形成される。
【０１５１】
その後、感光ドラム５の回転に伴って、静電潜像が現像ローラ７に対向すると、現像ローラ７と感光ドラム５との電位差により、現像ローラ７から感光ドラム５の表面に形成された静電潜像にトナーが供給される。これにより、感光ドラム５の表面の静電潜像がトナー像に現像される。
一方、画像形成動作が開始されると、給紙トレイ１０から搬送ベルト１１上に向けて、用紙Ｐが送り出される。
【０１５２】
画像形成動作が開始された時刻Ｔ３１から一定時間が経過し、時刻Ｔ３２になると、転写電流制御部３４により、転写電流回路２６が制御され、転写ローラ１２への転写電流の供給が開始される。転写ローラ１２に供給される転写電流は、湿度センサ２７により検出される相対湿度に応じて設定され、たとえば、用紙Ｐの搬送方向上流側から順に、１０μＡ、１１μＡ、１２μＡ、１３μＡに設定される。
【０１５３】
転写電流の供給が開始された時刻Ｔ３２から一定時間が経過し、時刻Ｔ３３になると、用紙Ｐの先端縁が感光ドラム５の表面に当接する。その後、搬送ベルト１１の周回走行により用紙Ｐが搬送され、用紙Ｐが感光ドラム５の表面と搬送ベルト１１との間の所定幅Ｄ（図２参照）のニップ部を通過する。感光ドラム５の表面上のトナー像は、転写ローラ１２に引きつけられ、用紙Ｐのニップ部を通過する用紙Ｐに転写される。
【０１５４】
用紙Ｐの先端縁が感光ドラム５の表面に当接した時刻Ｔ３３から一定時間が経過し、時刻Ｔ３４になると、ＬＥＤ駆動回路２５が制御されることにより、ＬＥＤユニット９の露光強度が上昇される。具体的には、露光強度は、第１露光量から第２露光量（たとえば、０．８μＪ／ｃｍ２）まで経過時間に比例して上昇し、その後、第２露光量から経過時間に比例して低下し、時刻Ｔ３４から一定時間が経過した時刻Ｔ３５に第１露光量となるように制御される。時刻Ｔ３４から時刻Ｔ３５までの時間は、その間に感光ドラム５の表面における接触部分を含む調整対象部分がＬＥＤユニット９と対向する位置を通過するような時間に設定されている。
【０１５５】
その後、用紙Ｐの後端が感光ドラム５の表面から離れ、そのときの時刻Ｔ３６から一定時間が経過した時刻Ｔ３７になると、転写ローラ１２への転写電流の供給が停止される。
そして、転写ローラ１２への転写電流の供給が停止された時刻Ｔ３７から一定時間が経過し、時刻Ｔ３８になると、チャージワイヤ６１へのワイヤバイアスの印加、グリッド６２へのグリッドバイアスの印加、現像ローラ７への現像バイアスの印加およびクリーニングローラ８へのクリーニングバイアスの印加が停止される。これにより、画像形成動作が終了となる。
（２）作用効果
以上のように、感光ドラム５の表面がＬＥＤユニット９により露光されると、その露光された部分から電荷が除去される。
【０１５６】
非対象部分は第１露光量で露光され、調整対象部分は第１露光量よりも大きい第２露光量で露光される。そのため、調整対象部分に含まれる接触部分から除去される電荷の量は、非対象部分から除去される電荷の量よりも多い。接触部分は帯電電位が高くなっているので、調整対象部分から除去される電荷の量が多くされることにより、露光後の接触部分の帯電量と接触部分以外の帯電量の偏差を小さくすることができる。その結果、感光ドラム５の表面の電位のばらつきを低減し、現像されるトナー濃度のばらつきを抑えることができる。よって、感光ドラム５の表面に良好な濃度のトナー像を形成することができる。
９．第５の実施形態
第３の実施形態は、作用手段の一例として、現像ローラ７が採用された場合の形態である。
（１）現像バイアス制御
図１３は、画像形成動作時の現像バイアス制御を説明するためのタイミングチャートである。
【０１５７】
画像形成動作時には、感光ドラム５は、その周面が図２に示す矢印Ａ方向（図２における反時計回り）に移動するように回転される。
時刻Ｔ４１において、ワイヤバイアス制御部２９およびグリッドバイアス制御部３０により、それぞれワイヤバイアス回路２１およびグリッドバイアス回路２２が制御され、チャージワイヤ６１へのワイヤバイアスの印加およびグリッド６２へのグリッドバイアスの印加が開始される。このとき、ワイヤバイアスおよびグリッドバイアス、たとえば、それぞれ２５０μＡおよび７５０Ｖに設定される。また、現像バイアス制御部３１により、クリーニングバイアス回路２３が制御され、現像ローラ７への現像バイアスの印加が開始される。このとき、現像バイアスは、感光ドラム５の表面の帯電極性（正極性）と同極性の第１現像電圧（たとえば、４００Ｖ）に設定される。
【０１５８】
感光ドラム５の回転に伴って、感光ドラム５の表面は、スコロトロン帯電器６からの放電により、正極性に帯電されていく。そして、ＬＥＤ制御部３３によりＬＥＤ駆動回路２５が制御され、ＬＥＤユニット９のＬＥＤが発光し、感光ドラム５の表面の正極性に帯電した部分が選択的に露光される。これにより、感光ドラム５の表面に静電潜像が形成される。
【０１５９】
その後、感光ドラム５の回転に伴って、静電潜像が現像ローラ７に対向すると、現像ローラ７と感光ドラム５との電位差により、現像ローラ７から感光ドラム５の表面に形成された静電潜像にトナーが供給される。これにより、感光ドラム５の表面の静電潜像がトナー像に現像される。
一方、画像形成動作が開始されると、給紙トレイ１０から搬送ベルト１１上に向けて、用紙Ｐが送り出される。
【０１６０】
画像形成動作が開始された時刻Ｔ４１から一定時間が経過し、時刻Ｔ４２になると、転写電流制御部３４により、転写電流回路２６が制御され、転写ローラ１２への転写電流の供給が開始される。転写ローラ１２に供給される転写電流は、湿度センサ２７により検出される相対湿度に応じて設定され、たとえば、用紙Ｐの搬送方向上流側から順に、１０μＡ、１１μＡ、１２μＡ、１３μＡに設定される。
【０１６１】
転写電流の供給が開始された時刻Ｔ４２から一定時間が経過し、時刻Ｔ４３になると、用紙Ｐの先端縁が感光ドラム５の表面に当接する。その後、搬送ベルト１１の周回走行により用紙Ｐが搬送され、用紙Ｐが感光ドラム５の表面と搬送ベルト１１との間の所定幅Ｄ（図２参照）のニップ部を通過する。感光ドラム５の表面上のトナー像は、転写ローラ１２に引きつけられ、用紙Ｐのニップ部を通過する用紙Ｐに転写される。
【０１６２】
用紙Ｐの先端縁が感光ドラム５の表面に当接した時刻Ｔ４３から一定時間が経過し、時刻Ｔ４４になると、感光ドラム５の表面における接触部分を含む調整対象部分の先頭が現像ローラ７と対向する。つまり、時刻Ｔ４４は、時刻Ｔ４３から、調整対象部分の先頭が転写ローラ１２と対向する位置から現像ローラ７と対向する位置まで移動するのに要する時間が経過したときの時刻である。
【０１６３】
時刻Ｔ４４になると、現像バイアス回路２３が制御されることにより、現像ローラ７に印加される現像バイアスが、第１現像電圧から上げられる。具体的には、現像バイアスは、第１現像電圧から第１現像電圧と同極性で絶対値が大きい第２現像電圧（たとえば、４８０Ｖ）まで経過時間に比例して上昇し、その後、第２現像電圧から経過時間に比例して低下し、時刻Ｔ４４からら感光ドラム５の表面が所定幅Ｄと等しい距離を移動するのに要する時間が経過した時刻Ｔ４５に第１現像電圧に戻されるように制御される。
【０１６４】
その後、用紙Ｐの後端が感光ドラム５の表面から離れ、そのときの時刻Ｔ４６から一定時間が経過した時刻Ｔ４７になると、転写ローラ１２への転写電流の供給が停止される。
そして、転写ローラ１２への転写電流の供給が停止された時刻Ｔ４７から一定時間が経過し、時刻Ｔ４８になると、チャージワイヤ６１へのワイヤバイアスの印加、グリッド６２へのグリッドバイアスの印加および現像ローラ７への現像バイアスの印加が停止される。これにより、画像形成動作が終了となる。
（２）作用効果
以上のように、現像ローラ７は、感光ドラム５の表面に対向して配置されている。現像ローラ７には、現像バイアス回路２３により、第１現像電圧または第２現像電圧が印加される。現像ローラ７と感光ドラム５の表面との間の電位差により、現像ローラ７から感光ドラム５の表面にトナーが供給される。
【０１６５】
非対象部分が現像ローラ７に対向しているときには、現像ローラ７に第１現像電圧が印加され、調整対象部分（接触部分）が現像ローラ７に対向しているときには、現像ローラ７に第１現像電圧よりも大きい第２現像電圧が印加される。接触部分には転写ローラ１２から用紙Ｐに転写電流が流れたことによる残留電荷がより多く存在しているので、接触部分を含む調整対象部分が現像ローラ７に対向しているときに現像ローラ７に印加される電圧が大きくされることにより、接触部分と現像ローラ７との間の電位差と接触部分以外の部分と現像手段との間の電位差の間の偏差を小さくすることができる。その結果、現像ローラ７から感光ドラム５に供給されるトナーの量のばらつき（むら）を低減することができる。よって、感光ドラム５の表面に良好な濃度のトナー像を形成することができる。
１０．変形例
以上、本発明の実施形態について説明したが、本発明は、さらに他の形態で実施することもできる。
【０１６６】
たとえば、第１および第２の実施形態において、画像形成動作の開始から、第２回収電圧が開始されるまでの期間は、第１回収電圧が印加されているとしたが、用紙Ｐの先端が感光ドラム５の表面に当接した時刻Ｔ３から、第２回収電圧が印加される時刻Ｔ４までの期間は、クリーニングローラ８に印加されるクリーニングバイアスが零となるようにクリーニングバイアス回路２４が制御されてもよい。
【０１６７】
これにより、当該期間におけるクリーニングバイアス回路２４の消費電力を低減することができるので、プリンタ１の省エネルギー化を図ることができる。
その他、特許請求の範囲に記載された事項の範囲で種々の設計変更を施すことが可能である。
【符号の説明】
【０１６８】
１      プリンタ
５      感光ドラム
６      スコロトロン帯電器
７      現像ローラ
８      クリーニングローラ
９      ＬＥＤユニット
１２    転写ローラ
２２    グリッドバイアス回路
２３    現像バイアス回路
２４    クリーニングバイアス回路
２５    ＬＥＤ駆動回路
２７    湿度検知手段
３０    グリッドバイアス制御部
３１    現像バイアス制御部
３２    クリーニングバイアス制御部
３３    ＬＥＤ制御部
６１    チャージワイヤ
６２    グリッド
Ｄ      所定幅
Ｐ      用紙
【図１】
2010256836.tif 000003
【図２】
2010256836.tif 000004
【図３】
2010256836.tif 000005
【図４】
2010256836.tif 000006
【図５】
2010256836.tif 000007
【図６】
2010256836.tif 000008
【図７】
2010256836.tif 000009
【図８】
2010256836.tif 000010
【図９】
2010256836.tif 000011
【図１０】
2010256836.tif 000012
【図１１】
2010256836.tif 000013
【図１２】
2010256836.tif 000014
【図１３】
2010256836.tif 000015